(57)【要約】  本願は、ハンドオーバプロセス中にコアネットワークのタイプを決定するための方法、端末装置、アクセスネットワーク装置およびコアネットワーク装置を提供し、セルハンドオーバプロセスにおいて、ターゲットアクセスネットワーク装置が、端末装置により報告された、好ましいコアネットワークのタイプ情報によって、ターゲットセルのコアネットワークのタイプを決定することができ、又は、ターゲットアクセスネットワーク装置がコアネットワーク装置との情報インタラクションによって、ターゲットセルのコアネットワークのタイプを決定することができ、これにより、セルハンドオーバのスムーズな実行が保証され、ユーザエクスペリエンスが向上する。該方法は、ソースセルからターゲットセルへの端末装置のハンドオーバのプロセス中に、該端末装置が該ターゲットセルに対する好ましいコアネットワークのタイプ情報をソースアクセスネットワーク装置に送信することであって、該好ましいコアネットワークのタイプ情報が該ターゲットセルのコアネットワークのタイプを決定するための参照情報であることを含む。
2021509547.tif 000002
【特許請求の範囲】
【請求項１】
ハンドオーバプロセス中にコアネットワークのタイプを決定するための方法であって、
ソースセルからターゲットセルへの端末装置のハンドオーバのプロセス中に、前記端末装置が、前記ターゲットセルに対する好ましいコアネットワークのタイプ情報をソースアクセスネットワーク装置に送信することであって、前記好ましいコアネットワークのタイプ情報が前記ターゲットセルのコアネットワークのタイプを決定するための参照情報であることを含む、前記ハンドオーバプロセス中にコアネットワークのタイプを決定するための方法。
【請求項２】
前記端末装置が前記ターゲットセルに対する好ましいコアネットワークのタイプ情報をソースアクセスネットワーク装置に送信することは、
前記端末装置の非アクセス層が、前記好ましいコアネットワークのタイプ情報を前記端末装置のアクセス層に送信することと、
前記端末装置のアクセス層が、前記好ましいコアネットワークのタイプ情報を前記ソースアクセスネットワーク装置に送信することとを含むことを特徴とする
請求項１に記載の方法。
【請求項３】
前記端末装置が前記ターゲットセルに対する好ましいコアネットワークのタイプ情報をソースアクセスネットワーク装置に送信することは、
前記端末装置が測定レポートを前記ソースアクセスネットワーク装置に送信することであって、前記測定レポートに前記好ましいコアネットワークのタイプ情報が搬送されることを含むことを特徴とする
請求項１又は２に記載の方法。
【請求項４】
前記好ましいコアネットワークのタイプ情報は、進化したパケットコア（ＥＰＣ）、又は５Ｇコアネットワーク、又は５ＧコアネットワークとＥＰＣであることを特徴とする
請求項１−３のいずれか一項に記載の方法。
【請求項５】
ハンドオーバプロセス中にコアネットワークのタイプを決定するための方法であって、
ソースセルからターゲットセルへの端末装置のハンドオーバのプロセス中に、ソースアクセスネットワーク装置が前記端末装置により送信された、前記ターゲットセルに対する好ましいコアネットワークのタイプ情報を受信することであって、前記好ましいコアネットワークのタイプ情報が前記ターゲットセルのコアネットワークのタイプを決定するための参照情報であることと、
前記ソースアクセスネットワーク装置が前記好ましいコアネットワークのタイプ情報をターゲットアクセスネットワーク装置に送信することとを含む、前記ハンドオーバプロセス中にコアネットワークのタイプを決定するための方法。
【請求項６】
前記ソースアクセスネットワーク装置が前記端末装置により送信された、前記ターゲットセルに対する好ましいコアネットワークのタイプ情報を受信することは、
前記ソースアクセスネットワーク装置が前記端末装置のアクセス層により送信された、前記好ましいコアネットワークのタイプ情報を受信することを含むことを特徴とする
請求項５に記載の方法。
【請求項７】
前記ソースアクセスネットワーク装置が前記端末装置により送信された、前記ターゲットセルに対する好ましいコアネットワークのタイプ情報を受信することは、
前記ソースアクセスネットワーク装置が前記端末装置により送信された測定レポートを受信することであって、前記測定レポートに前記好ましいコアネットワークのタイプ情報が搬送されることを含むことを特徴とする
請求項５又は６に記載の方法。
【請求項８】
前記ソースアクセスネットワーク装置が前記好ましいコアネットワークのタイプ情報をターゲットアクセスネットワーク装置に送信することは、
前記ソースアクセスネットワーク装置がハンドオーバリクエストをターゲットアクセスネットワーク装置に送信することであって、前記ハンドオーバリクエストが前記好ましいコアネットワークのタイプ情報を含むことを含むことを特徴とする
請求項５−７のいずれか一項に記載の方法。
【請求項９】
前記好ましいコアネットワークのタイプ情報は、進化したパケットコア（ＥＰＣ）、又は５Ｇコアネットワーク、又は５ＧコアネットワークとＥＰＣであることを特徴とする
請求項５−８のいずれか一項に記載の方法。
【請求項１０】
ハンドオーバプロセス中にコアネットワークのタイプを決定するための方法であって、
ソースセルからターゲットセルへの端末装置のハンドオーバのプロセス中に、ターゲットアクセスネットワーク装置がソースアクセスネットワーク装置から前記ターゲットセルに対する好ましいコアネットワークのタイプ情報を受信することであって、前記好ましいコアネットワークのタイプ情報が前記ターゲットセルのコアネットワークのタイプを決定するための参照情報であることと、
前記コアネットワーク装置が前記好ましいコアネットワークのタイプ情報に従って前記ターゲットセルのコアネットワークのタイプを決定するように、前記ターゲットアクセスネットワーク装置が前記好ましいコアネットワークのタイプ情報をコアネットワーク装置に送信することとを含む、前記ハンドオーバプロセス中にコアネットワークのタイプを決定するための方法。
【請求項１１】
前記ターゲットアクセスネットワーク装置がソースアクセスネットワーク装置から前記ターゲットセルに対する好ましいコアネットワークのタイプ情報を受信することは、
前記ターゲットアクセスネットワーク装置がソースアクセスネットワーク装置からハンドオーバリクエストを受信することであって、前記ハンドオーバリクエストが前記好ましいコアネットワークのタイプ情報を含むことを含むことを特徴とする
請求項１０に記載の方法。
【請求項１２】
前記好ましいコアネットワークのタイプ情報は、進化したパケットコア（ＥＰＣ）、又は５Ｇコアネットワーク、又は５ＧコアネットワークとＥＰＣであることを特徴とする
請求項１０又は１１に記載の方法。
【請求項１３】
前記方法は、
前記ターゲットアクセスネットワーク装置が前記コアネットワーク装置から前記ターゲットセルのコアネットワークのタイプを受信することと、
前記ターゲットアクセスネットワーク装置が前記ターゲットセルのコアネットワークのタイプに従ってセルハンドオーバを実行することとをさらに含むことを特徴とする
請求項１０−１２のいずれか一項に記載の方法。
【請求項１４】
ハンドオーバプロセス中にコアネットワークのタイプを決定するための方法であって、
ソースセルからターゲットセルへの端末装置のハンドオーバのプロセス中に、コアネットワーク装置がターゲットアクセスネットワーク装置により送信された、前記ターゲットセルに対する好ましいコアネットワークのタイプ情報を受信することであって、前記好ましいコアネットワークのタイプ情報が前記ターゲットセルのコアネットワークのタイプを決定するための参照情報であることと、
前記コアネットワーク装置が前記好ましいコアネットワークのタイプ情報に従って前記ターゲットセルのコアネットワークのタイプを決定することとを含む、前記ハンドオーバプロセス中にコアネットワークのタイプを決定するための方法。
【請求項１５】
前記コアネットワーク装置が前記好ましいコアネットワークのタイプ情報に従って前記ターゲットセルのコアネットワークのタイプを決定することは、
前記コアネットワーク装置が前記好ましいコアネットワークのタイプ情報、及び前記端末装置の加入情報、前記端末装置に対する、進化したパケットシステム（ＥＰＳ）ベアラ情報、前記端末装置に対するプロトコルデータユニット（ＰＤＵ）セッション情報、サービス品質（ＱｏＳ）フローのうちの少なくとも１つに従って前記ターゲットセルのコアネットワークのタイプを決定することを含むことを特徴とする
請求項１４に記載の方法。
【請求項１６】
前記好ましいコアネットワークのタイプ情報は、進化したパケットコア（ＥＰＣ）、又は５Ｇコアネットワーク、又は５ＧコアネットワークとＥＰＣであることを特徴とする
請求項１４又は１５に記載の方法。
【請求項１７】
前記方法は、
前記コアネットワーク装置が、決定された、前記ターゲットセルのコアネットワークのタイプを前記ターゲットアクセスネットワーク装置にフィードバックすることをさらに含むことを特徴とする
請求項１４−１６のいずれか一項に記載の方法。
【請求項１８】
ハンドオーバプロセス中にコアネットワークのタイプを決定するための方法であって、
ソースセルからターゲットセルへの端末装置のハンドオーバのプロセス中に、アクセスネットワーク装置がリクエストメッセージをコアネットワーク装置に送信することであって、前記リクエストメッセージが前記ターゲットセルのコアネットワークのタイプをリクエストし、前記ソースセルから前記ターゲットセルへの前記端末装置のハンドオーバのプロセス中に、前記コアネットワーク装置が変更しないことと、
前記アクセスネットワーク装置が前記コアネットワーク装置により前記リクエストメッセージに対してフィードバックされた前記ターゲットセルのコアネットワークのタイプを受信することとを含む、前記ハンドオーバプロセス中にコアネットワークのタイプを決定するための方法。
【請求項１９】
前記方法は、
前記アクセスネットワーク装置が前記ターゲットセルのコアネットワークのタイプに従ってセルハンドオーバを実行することとをさらに含むことを特徴とする
請求項１８に記載の方法。
【請求項２０】
前記ターゲットセルのコアネットワークのタイプ情報は、進化したパケットコア（ＥＰＣ）、又は５Ｇコアネットワーク、又は５ＧコアネットワークとＥＰＣであることを特徴とする
請求項１８又は１９に記載の方法。
【請求項２１】
前記コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）であることを特徴とする
請求項１８−２０のいずれか一項に記載の方法。
【請求項２２】
ハンドオーバプロセス中にコアネットワークのタイプを決定するための方法であって、
ソースセルからターゲットセルへの端末装置のハンドオーバのプロセス中に、コアネットワーク装置がアクセスネットワーク装置により送信されたリクエストメッセージを受信することであって、前記リクエストメッセージが前記ターゲットセルのコアネットワークのタイプをリクエストし、前記ソースセルから前記ターゲットセルへの前記端末装置のハンドオーバのプロセス中に、前記コアネットワーク装置が変更しないことと、
前記リクエストメッセージを受信した後、前記コアネットワーク装置が前記端末装置の加入情報、前記端末装置に対する、進化したパケットシステム（ＥＰＳ）ベアラ情報、前記端末装置に対するプロトコルデータユニット（ＰＤＵ）セッション情報、サービス品質（ＱｏＳ）フローのうちの少なくとも１つに従って前記ターゲットセルのコアネットワークのタイプを決定することとを含む、前記ハンドオーバプロセス中にコアネットワークのタイプを決定するための方法。
【請求項２３】
前記方法は、
前記コアネットワーク装置が前記ターゲットセルのコアネットワークのタイプを前記アクセスネットワーク装置にフィードバックすることをさらに含むことを特徴とする
請求項２２に記載の方法。
【請求項２４】
前記ターゲットセルのコアネットワークのタイプ情報は、進化したパケットコア（ＥＰＣ）、又は５Ｇコアネットワーク、又は５ＧコアネットワークとＥＰＣであることを特徴とする
請求項２２又は２３に記載の方法。
【請求項２５】
前記コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）であることを特徴とする
請求項２２−２４のいずれか一項に記載の方法。
【請求項２６】
端末装置であって、
ソースセルからターゲットセルへのハンドオーバのプロセス中に、前記ターゲットセルに対する好ましいコアネットワークのタイプ情報をソースアクセスネットワーク装置に送信するように構成される送信ユニットであって、前記好ましいコアネットワークのタイプ情報が前記ターゲットセルのコアネットワークのタイプを決定するための参照情報である、前記端末装置。
【請求項２７】
前記端末装置はさらに、
前記好ましいコアネットワークのタイプ情報を前記端末装置のアクセス層に送信するように構成される非アクセス層装置と、
前記好ましいコアネットワークのタイプ情報を前記ソースアクセスネットワーク装置に送信するように構成されるアクセス層装置とを備えることを特徴とする
請求項２６に記載の端末装置。
【請求項２８】
前記送信ユニットは、さらに、測定レポートを前記ソースアクセスネットワーク装置に送信するように構成され、前記測定レポートに前記好ましいコアネットワークのタイプ情報が搬送されることを特徴とする
請求項２６又は２７に記載の端末装置。
【請求項２９】
前記好ましいコアネットワークのタイプ情報は、進化したパケットコア（ＥＰＣ）、又は５Ｇコアネットワーク、又は５ＧコアネットワークとＥＰＣであることを特徴とする
請求項２６−２８のいずれか一項に記載の端末装置。
【請求項３０】
アクセスネットワーク装置であって、
ソースセルからターゲットセルへの端末装置のハンドオーバのプロセス中に、前記端末装置により送信された、前記ターゲットセルに対する好ましいコアネットワークのタイプ情報を受信するように構成される受信ユニットであって、前記好ましいコアネットワークのタイプ情報が前記ターゲットセルのコアネットワークのタイプを決定するための参照情報である受信ユニットと、
前記好ましいコアネットワークのタイプ情報をターゲットアクセスネットワーク装置に送信するように構成される送信ユニットとを備える、前記アクセスネットワーク装置。
【請求項３１】
前記受信ユニットは、さらに前記端末装置のアクセス層により送信された、前記好ましいコアネットワークのタイプ情報を受信するように構成されることを特徴とする
請求項３０に記載のアクセスネットワーク装置。
【請求項３２】
前記受信ユニットは、さらに前記端末装置により送信された測定レポートを受信するように構成され、前記測定レポートに前記好ましいコアネットワークのタイプ情報が搬送されることを特徴とする
請求項３０又は３１に記載のアクセスネットワーク装置。
【請求項３３】
前記送信ユニットは、さらにハンドオーバリクエストをターゲットアクセスネットワーク装置に送信するように構成され、前記ハンドオーバリクエストが前記好ましいコアネットワークのタイプ情報を含むことを特徴とする
請求項３０−３２のいずれか一項に記載のアクセスネットワーク装置。
【請求項３４】
前記好ましいコアネットワークのタイプ情報は、進化したパケットコア（ＥＰＣ）、又は５Ｇコアネットワーク、又は５ＧコアネットワークとＥＰＣであることを特徴とする
請求項３０−３３のいずれか一項に記載のアクセスネットワーク装置。
【請求項３５】
アクセスネットワーク装置であって、
ソースセルからターゲットセルへの端末装置のハンドオーバのプロセス中に、ソースアクセスネットワーク装置から前記ターゲットセルに対する好ましいコアネットワークのタイプ情報を受信するように構成される受信ユニットであって、前記好ましいコアネットワークのタイプ情報が前記ターゲットセルのコアネットワークのタイプを決定するための参照情報である受信ユニットと、
前記コアネットワーク装置が前記好ましいコアネットワークのタイプ情報に従って前記ターゲットセルのコアネットワークのタイプを決定するように、前記好ましいコアネットワークのタイプ情報をコアネットワーク装置に送信するように構成される送信ユニットとを備える、前記アクセスネットワーク装置。
【請求項３６】
前記受信ユニットは、さらにソースアクセスネットワーク装置からハンドオーバリクエストを受信するように構成され、前記ハンドオーバリクエストが前記好ましいコアネットワークのタイプ情報を含むことを特徴とする
請求項３５に記載のアクセスネットワーク装置。
【請求項３７】
前記好ましいコアネットワークのタイプ情報は、進化したパケットコア（ＥＰＣ）、又は５Ｇコアネットワーク、又は５ＧコアネットワークとＥＰＣであることを特徴とする
請求項３５又は３６に記載のアクセスネットワーク装置。
【請求項３８】
前記アクセスネットワーク装置は、
前記受信ユニットがさらに前記コアネットワーク装置から前記ターゲットセルのコアネットワークのタイプを受信するように構成され、
前記ターゲットセルのコアネットワークのタイプに従ってセルハンドオーバを実行するように構成される処理ユニットをさらに備えることを特徴とする
請求項３５−３７のいずれか一項に記載のアクセスネットワーク装置。
【請求項３９】
コアネットワーク装置であって、
ソースセルからターゲットセルへの端末装置のハンドオーバのプロセス中に、ターゲットアクセスネットワーク装置により送信された、前記ターゲットセルに対する好ましいコアネットワークのタイプ情報を受信するように構成される受信ユニットであって、前記好ましいコアネットワークのタイプ情報が前記ターゲットセルのコアネットワークのタイプを決定するための参照情報である受信ユニットと、
前記好ましいコアネットワークのタイプ情報に従って前記ターゲットセルのコアネットワークのタイプを決定するように構成される処理ユニットとを備える、前記コアネットワーク装置。
【請求項４０】
前記処理ユニットは、さらに前記好ましいコアネットワークのタイプ情報、及び前記端末装置の加入情報、前記端末装置に対する、進化したパケットシステム（ＥＰＳ）ベアラ情報、前記端末装置に対するプロトコルデータユニット（ＰＤＵ）セッション情報、サービス品質（ＱｏＳ）フローのうちの少なくとも１つに従って前記ターゲットセルのコアネットワークのタイプを決定するように構成されることを特徴とする
請求項３９に記載のコアネットワーク装置。
【請求項４１】
前記好ましいコアネットワークのタイプ情報は、進化したパケットコア（ＥＰＣ）、又は５Ｇコアネットワーク、又は５ＧコアネットワークとＥＰＣであることを特徴とする
請求項３９又は４０に記載のコアネットワーク装置。
【請求項４２】
前記コアネットワーク装置はさらに、
決定された前記ターゲットセルのコアネットワークのタイプを前記ターゲットアクセスネットワーク装置にフィードバックするように構成される送信ユニットを備えることを特徴とする
請求項３９−４１のいずれか一項に記載のコアネットワーク装置。
【請求項４３】
アクセスネットワーク装置であって、
ソースセルからターゲットセルへの端末装置のハンドオーバのプロセス中に、リクエストメッセージをコアネットワーク装置に送信するように構成される送信ユニットであって、前記リクエストメッセージが前記ターゲットセルのコアネットワークのタイプをリクエストし、前記ソースセルから前記ターゲットセルへの前記端末装置のハンドオーバのプロセス中に、前記コアネットワーク装置が変更しない送信ユニットと、
前記コアネットワーク装置により前記リクエストメッセージに対してフィードバックされた前記ターゲットセルのコアネットワークのタイプを受信するように構成される受信ユニットとを備える、前記アクセスネットワーク装置。
【請求項４４】
前記アクセスネットワーク装置はさらに、
前記ターゲットセルのコアネットワークのタイプに従ってセルハンドオーバを実行するように構成される処理ユニットを備えることを特徴とする
請求項４３に記載のアクセスネットワーク装置。
【請求項４５】
前記ターゲットセルのコアネットワークのタイプ情報は、進化したパケットコア（ＥＰＣ）、又は５Ｇコアネットワーク、又は５ＧコアネットワークとＥＰＣであることを特徴とする
請求項４３又は４４に記載のアクセスネットワーク装置。
【請求項４６】
前記コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）であることを特徴とする
請求項４３−４５のいずれか一項に記載のアクセスネットワーク装置。
【請求項４７】
コアネットワーク装置であって、
ソースセルからターゲットセルへの端末装置のハンドオーバのプロセス中に、アクセスネットワーク装置により送信されたリクエストメッセージを受信するように構成される受信ユニットであって、前記リクエストメッセージが前記ターゲットセルのコアネットワークのタイプをリクエストし、前記ソースセルから前記ターゲットセルへの前記端末装置のハンドオーバのプロセス中に、前記コアネットワーク装置が変更しない受信ユニットと、
前記受信ユニットが前記リクエストメッセージを受信した後、前記コアネットワーク装置が前記端末装置の加入情報、前記端末装置に対する、進化したパケットシステム（ＥＰＳ）ベアラ情報、前記端末装置に対するプロトコルデータユニット（ＰＤＵ）セッション情報、サービス品質（ＱｏＳ）フローのうちの少なくとも１つに従って前記ターゲットセルのコアネットワークのタイプを決定するように構成される処理ユニットとを備える、前記コアネットワーク装置。
【請求項４８】
前記コアネットワーク装置はさらに、
前記ターゲットセルのコアネットワークのタイプを前記アクセスネットワーク装置にフィードバックするように構成される送信ユニットを備えることを特徴とする
請求項４７に記載のコアネットワーク装置。
【請求項４９】
前記ターゲットセルのコアネットワークのタイプ情報は、進化したパケットコア（ＥＰＣ）、又は５Ｇコアネットワーク、又は５ＧコアネットワークとＥＰＣであることを特徴とする
請求項４７又は４８に記載のコアネットワーク装置。
【請求項５０】
前記コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）であることを特徴とする
請求項４７−４９のいずれか一項に記載のコアネットワーク装置。
【発明の詳細な説明】
【技術分野】
【０００１】
本願は、通信分野に関し、且つより具体的には、ハンドオーバプロセス中にコアネットワークのタイプを決定するための方法、端末装置、アクセスネットワーク装置およびコアネットワーク装置に関する。
【背景技術】
【０００２】
長期進化（ＬＴＥ：Ｌｏｎｇ  Ｔｅｒｍ  Ｅｖｏｌｕｔｉｏｎ）及び５Ｇ通信システムでは、進化した長期進化（ｅＬＴＥ：Ｅｖａｌｕａｔｅｄ  Ｌｏｎｇ  Ｔｅｒｍ  Ｅｖｏｌｕｔｉｏｎ）型アクセスネットワーク（例えば基地局）は、進化したパケットコア（ＥＰＣ：Ｅｖｏｌｖｅｄ  Ｐａｃｋｅｔ  Ｃｏｒｅ）と５Ｇコアネットワーク（５ＧＣ：５Ｇ  Ｃｏｒｅ）に同時にアクセスすることができ、端末装置は、異なるコアネットワークのタイプにアクセスする可能性があるようなターゲットセルにハンドオーバする時に、異なるコアネットワークのタイプに必要なベアラが異なるため、ハンドオーバするためにコアネットワークのタイプを決定する必要がある。しかしながら、現在のセルハンドオーバプロセスでは、例えば、端末装置は、ｅＬＴＥセルからｅＬＴＥセルに、又はＮＲセルからｅＬＴＥセルにハンドオーバする場合、ソース基地局とターゲット基地局は、この端末装置に対して、ハンドオーバした後にどのコアネットワークのタイプ（ＣＮ  ｔｙｐｅ：Ｃｏｒｅ  Ｎｅｔｗｏｒｋ  ｔｙｐｅ）にアクセスする必要があるか否かを知らなく、さらに、セルハンドオーバ体験に影響を与える。
【発明の概要】
【発明が解決しようとする課題】
【０００３】
本願実施例は、ハンドオーバプロセス中にコアネットワークのタイプを決定するための方法、端末装置、アクセスネットワーク装置およびコアネットワーク装置を提供し、セルハンドオーバプロセスにおいて、ターゲットアクセスネットワーク装置が、端末装置により報告された、好ましいコアネットワークのタイプ情報によってターゲットセルのコアネットワークのタイプを決定することができ、又は、ターゲットアクセスネットワーク装置がコアネットワーク装置との情報インタラクションによって、ターゲットセルのコアネットワークのタイプを決定することができ、これにより、セルハンドオーバのスムーズな実行が保証され、ユーザエクスペリエンスが向上する。
【課題を解決するための手段】
【０００４】
第１の態様では、本願実施例によるハンドオーバプロセス中にコアネットワークのタイプを決定するための方法は、
ソースセルからターゲットセルへの端末装置のハンドオーバのプロセス中に、該端末装置が、該ターゲットセルに対する好ましいコアネットワークのタイプ情報をソースアクセスネットワーク装置に送信することであって、ここで、該好ましいコアネットワークのタイプ情報が該ターゲットセルのコアネットワークのタイプを決定するための参照情報であることを含む。
【０００５】
選択可能に、コアネットワーク装置は、該ターゲットセルのコアネットワークのタイプを決定する時に、端末装置により報告された、該好ましいコアネットワークのタイプ情報を参照する。
【０００６】
理解すべきものとして、ソースセルからターゲットセルへの端末装置のハンドオーバのプロセス中に、該端末装置によりアクセスされたアクセスネットワーク装置はソースアクセスネットワーク装置からターゲットアクセスネットワーク装置に変更される。
【０００７】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【０００８】
さらに、セルハンドオーバプロセスにおいて、ターゲットアクセスネットワーク装置がターゲットセルのコアネットワークのタイプを知らずに１つのコアネットワークのタイプをデフォルトにするため、コアネットワーク装置の過負荷又は無負荷を引き起こすことが回避される。
【０００９】
選択可能に、第１の態様の一実施形態では、該端末装置が該ターゲットセルに対する好ましいコアネットワークのタイプ情報をソースアクセスネットワーク装置に送信することは、
該端末装置の非アクセス層が該端末装置のアクセス層に該好ましいコアネットワークのタイプ情報を送信することと、
該端末装置のアクセス層が該好ましいコアネットワークのタイプ情報を該ソースアクセスネットワーク装置に送信することとを含む。
【００１０】
選択可能に、該端末装置の非アクセス層は該好ましいコアネットワークのタイプ情報を生成する。
【００１１】
さらに、端末装置の非アクセス層は、ターゲットセルの好ましいコアネットワークのタイプ情報を生成し、そして端末装置のアクセス層を介してソースアクセスネットワーク装置に報告する。
【００１２】
選択可能に、第１の態様の一実施形態では、該端末装置が該ターゲットセルに対する好ましいコアネットワークのタイプ情報をソースアクセスネットワーク装置に送信することは、
該端末装置が測定レポートを該ソースアクセスネットワーク装置に送信することであって、該測定レポートに該好ましいコアネットワークのタイプ情報が搬送されることを含む。
【００１３】
選択可能に、第１の態様の一実施形態では、該好ましいコアネットワークのタイプ情報は進化したパケットコア（ＥＰＣ）、又は５Ｇコアネットワーク、又は５ＧコアネットワークとＥＰＣである。
【００１４】
好ましくは、ターゲットアクセスネットワーク装置は、ターゲットセルのコアネットワークのタイプに従ってセルハンドオーバを実行する。
【００１５】
第２の態様では、本願実施例によるハンドオーバプロセス中にコアネットワークのタイプを決定するための方法は、
ソースセルからターゲットセルへの端末装置のハンドオーバのプロセス中に、ソースアクセスネットワーク装置が該端末装置により送信された、該ターゲットセルに対する好ましいコアネットワークのタイプ情報を受信することであって、該好ましいコアネットワークのタイプ情報が該ターゲットセルのコアネットワークのタイプを決定するための参照情報であることと、
該ソースアクセスネットワーク装置が該好ましいコアネットワークのタイプ情報をターゲットアクセスネットワーク装置に送信することとを含む。
【００１６】
選択可能に、コアネットワーク装置は、該ターゲットセルのコアネットワークのタイプを決定する時に、端末装置により報告された該好ましいコアネットワークのタイプ情報を参照する。
【００１７】
理解すべきものとして、ソースセルからターゲットセルへの端末装置のハンドオーバのプロセス中に、該端末装置によりアクセスされたアクセスネットワーク装置はソースアクセスネットワーク装置からターゲットアクセスネットワーク装置に変更される。
【００１８】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【００１９】
選択可能に、第２の態様の一実施形態では、該ソースアクセスネットワーク装置が該端末装置により送信された、該ターゲットセルに対する好ましいコアネットワークのタイプ情報を受信することは、
該ソースアクセスネットワーク装置が該端末装置のアクセス層により送信された該好ましいコアネットワークのタイプ情報を受信することを含む。
【００２０】
好ましくは、第２の態様の一実施形態では、該ソースアクセスネットワーク装置が該端末装置により送信された、該ターゲットセルに対する好ましいコアネットワークのタイプ情報を受信することは、
該ソースアクセスネットワーク装置が該端末装置により送信された測定レポートを受信することであって、該測定レポートに該好ましいコアネットワークのタイプ情報が搬送されることを含む。
【００２１】
選択可能に、第２の態様の一実施形態では、該ソースアクセスネットワーク装置が該好ましいコアネットワークのタイプ情報をターゲットアクセスネットワーク装置に送信することは、
該ソースアクセスネットワーク装置がハンドオーバリクエストをターゲットアクセスネットワーク装置に送信することであって、該ハンドオーバリクエストは該好ましいコアネットワークのタイプ情報を含むことを含む。
【００２２】
選択可能に、ターゲットアクセスネットワーク装置は、ターゲットセルのコアネットワークのタイプに従ってセルハンドオーバを実行する。
【００２３】
選択可能に、第２の態様の一実施形態では、該好ましいコアネットワークのタイプ情報は、進化したパケットコア（ＥＰＣ）、又は５Ｇコアネットワーク、又は５ＧコアネットワークとＥＰＣである。
【００２４】
第３の態様では、本願実施例によるハンドオーバプロセス中にコアネットワークのタイプを決定するための方法は、
ソースセルからターゲットセルへの端末装置のハンドオーバのプロセス中に、ターゲットアクセスネットワーク装置がソースアクセスネットワーク装置から該ターゲットセルに対する好ましいコアネットワークのタイプ情報を受信することであって、該好ましいコアネットワークのタイプ情報が該ターゲットセルのコアネットワークのタイプを決定するための参照情報であることと、
該コアネットワーク装置が該好ましいコアネットワークのタイプ情報に従って該ターゲットセルのコアネットワークのタイプを決定するように、該ターゲットアクセスネットワーク装置が該好ましいコアネットワークのタイプ情報をコアネットワーク装置に送信することとを含む。
【００２５】
理解すべきものとして、ソースセルからターゲットセルへの端末装置のハンドオーバのプロセス中に、該端末装置によりアクセスされたアクセスネットワーク装置は、ソースアクセスネットワーク装置からターゲットアクセスネットワーク装置に変更される。
【００２６】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【００２７】
好ましくは、第３の態様の一実施形態では、該ターゲットアクセスネットワーク装置がソースアクセスネットワーク装置から該ターゲットセルに対する好ましいコアネットワークのタイプ情報を受信することは、
該ターゲットアクセスネットワーク装置がソースアクセスネットワーク装置からハンドオーバリクエストを受信することであって、該ハンドオーバリクエストは該好ましいコアネットワークのタイプ情報を含むことを含む。
【００２８】
選択可能に、第３の態様の一実施形態では、該好ましいコアネットワークのタイプ情報は進化したパケットコア（ＥＰＣ）、又は５Ｇコアネットワーク、又は５ＧコアネットワークとＥＰＣである。
【００２９】
選択可能に、第３の態様の一実施形態では、該方法は、
該ターゲットアクセスネットワーク装置が該コアネットワーク装置から該ターゲットセルのコアネットワークのタイプを受信することと、
該ターゲットアクセスネットワーク装置が該ターゲットセルのコアネットワークのタイプに従ってセルハンドオーバを実行することとをさらに含む。
【００３０】
第４の態様では、本願実施例によるハンドオーバプロセス中にコアネットワークのタイプを決定するための方法は、
ソースセルからターゲットセルへの端末装置のハンドオーバのプロセス中に、コアネットワーク装置がターゲットアクセスネットワーク装置により送信された、該ターゲットセルに対する好ましいコアネットワークのタイプ情報を受信することであって、該好ましいコアネットワークのタイプ情報が該ターゲットセルのコアネットワークのタイプを決定するための参照情報であることと、
該コアネットワーク装置が該好ましいコアネットワークのタイプ情報に従って該ターゲットセルのコアネットワークのタイプを決定することとを含む。
【００３１】
理解すべきものとして、ソースセルからターゲットセルへの端末装置のハンドオーバのプロセス中に、該端末装置によりアクセスされたアクセスネットワーク装置は、ソースアクセスネットワーク装置からターゲットアクセスネットワーク装置に変更される。
【００３２】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【００３３】
選択可能に、第４の態様の一実施形態では、該コアネットワーク装置が該好ましいコアネットワークのタイプ情報に従って該ターゲットセルのコアネットワークのタイプを決定することは、
該コアネットワーク装置が該好ましいコアネットワークのタイプ情報、及び該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定することを含む。
【００３４】
選択可能に、第４の態様の一実施形態では、該好ましいコアネットワークのタイプ情報は、進化したパケットコア（ＥＰＣ）、又は５Ｇコアネットワーク、又は５ＧコアネットワークとＥＰＣである。
【００３５】
選択可能に、第４の態様の一実施形態では、該方法は、
該コアネットワーク装置が決定された該ターゲットセルのコアネットワークのタイプを該ターゲットアクセスネットワーク装置にフィードバックすることをさらに含む。
【００３６】
選択可能に、ターゲットアクセスネットワーク装置は、ターゲットセルのコアネットワークのタイプに従ってセルハンドオーバを実行する。
【００３７】
第５の態様では、本願実施例によるハンドオーバプロセス中にコアネットワークのタイプを決定するための方法は、
ソースセルからターゲットセルへの端末装置のハンドオーバのプロセス中に、アクセスネットワーク装置がコアネットワーク装置にリクエストメッセージを送信することであって、該リクエストメッセージが該ターゲットセルのコアネットワークのタイプをリクエストし、ここで、該端末装置が該ソースセルから該ターゲットセルにハンドオーバするプロセスにおいて、該コアネットワーク装置が変更しないことと、
該アクセスネットワーク装置が該コアネットワーク装置により該リクエストメッセージに対してフィードバックされた該ターゲットセルのコアネットワークのタイプを受信することとを含む。
【００３８】
理解すべきものとして、ソースセルからターゲットセルへの端末装置のハンドオーバのプロセス中に、該端末装置にサ―ビングするコアネットワーク装置は変更しない。
【００３９】
また、理解すべきものとして、ソースセルからターゲットセルへの端末装置のハンドオーバのプロセス中に、該端末装置によりアクセスされたアクセスネットワーク装置はソースアクセスネットワーク装置からターゲットアクセスネットワーク装置に変更される。
【００４０】
したがって、本願実施例によるハンドオーバプロセス中にコアネットワークのタイプを決定するための方法では、ソースセルからターゲットセルへの端末装置のハンドオーバのプロセス中に、アクセスネットワーク装置はターゲットセルのコアネットワークのタイプをリクエストするためのリクエストメッセージをコアネットワーク装置に送信し、そのため、コアネットワーク装置はターゲットセルのコアネットワークのタイプを決定することができ、さらに、セルハンドオーバのスムーズな実行が保証され、ユーザエクスペリエンスが向上する。
【００４１】
選択可能に、第５の態様の一実施形態では、ソースセルからターゲットセルへの端末装置のハンドオーバのプロセス中に、該アクセスネットワーク装置はソースアクセスネットワーク装置であってもよいし、ターゲットアクセスネットワーク装置であってもよい。
【００４２】
選択可能に、該アクセスネットワーク装置がソースアクセスネットワーク装置である場合、該アクセスネットワーク装置は、Ｓ１インタフェース又はＮ２インタフェースを介して該リクエストメッセージを該コアネットワーク装置に送信し、該コアネットワーク装置からフィードバックされたターゲットセルのコアネットワークのタイプを受信する。
【００４３】
選択可能に、該アクセスネットワーク装置がターゲットアクセスネットワーク装置である場合、該アクセスネットワーク装置は、Ｓ１インタフェース又はＮ２インタフェースを介して該リクエストメッセージを該コアネットワーク装置に送信し、該コアネットワーク装置からフィードバックされたターゲットセルのコアネットワークのタイプを受信する。
【００４４】
選択可能に、第５の態様の一実施形態では、該方法は、
該アクセスネットワーク装置が該ターゲットセルのコアネットワークのタイプに従ってセルハンドオーバを実行することとをさらに含む。
【００４５】
選択可能に、第５の態様の一実施形態では、該ターゲットコアネットワークのタイプ情報は進化したパケットコア（ＥＰＣ）、又は５Ｇコアネットワーク、又は５ＧコアネットワークとＥＰＣである。
【００４６】
選択可能に、第５の態様の一実施形態では、該コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【００４７】
第６の態様では、本願実施例によるハンドオーバプロセス中にコアネットワークのタイプを決定するための方法は、
ソースセルからターゲットセルへの端末装置のハンドオーバのプロセス中に、コアネットワーク装置がアクセスネットワーク装置により送信されたリクエストメッセージを受信することであって、該リクエストメッセージが該ターゲットセルのコアネットワークのタイプをリクエストし、ここで、該端末装置が該ソースセルから該ターゲットセルにハンドオーバするプロセスにおいて、該コアネットワーク装置が変更しないことと、
該リクエストメッセージを受信した後、該コアネットワーク装置が該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定することとを含む。
【００４８】
理解すべきものとして、ソースセルからターゲットセルへの端末装置のハンドオーバのプロセス中に、該端末装置にサ―ビングするコアネットワーク装置は変更しない。
【００４９】
また、理解すべきものとして、ソースセルからターゲットセルへの端末装置のハンドオーバのプロセス中に、該端末装置によりアクセスされたアクセスネットワーク装置はソースアクセスネットワーク装置からターゲットアクセスネットワーク装置に変更される。
【００５０】
したがって、本願実施例によるハンドオーバプロセス中にコアネットワークのタイプを決定するための方法では、ソースセルからターゲットセルへの端末装置のハンドオーバのプロセス中に、アクセスネットワーク装置はターゲットセルのコアネットワークのタイプをリクエストするためのリクエストメッセージをコアネットワーク装置に送信し、そのため、コアネットワーク装置は端末装置の加入情報、端末装置に対するＥＰＳベアラ情報、端末装置に対するＰＤＵセッション情報、ＱｏＳフローの少なくとも１つに従ってターゲットセルのコアネットワークのタイプを決定することができ、さらに、セルハンドオーバのスムーズな実行が保証され、ユーザエクスペリエンスが向上する。
【００５１】
選択可能に、第６の態様の一実施形態では、ソースセルからターゲットセルへの端末装置のハンドオーバのプロセス中に、該アクセスネットワーク装置はソースアクセスネットワーク装置であってもよいし、ターゲットアクセスネットワーク装置であってもよい。
【００５２】
選択可能に、該アクセスネットワーク装置がソースアクセスネットワーク装置である場合、該アクセスネットワーク装置は、Ｓ１インタフェース又はＮ２インタフェースを介して該リクエストメッセージを該コアネットワーク装置に送信し、該コアネットワーク装置からフィードバックされたターゲットセルのコアネットワークのタイプを受信する。
【００５３】
選択可能に、該アクセスネットワーク装置がターゲットアクセスネットワーク装置である場合、該アクセスネットワーク装置は、Ｓ１インタフェース又はＮ２インタフェースを介して該リクエストメッセージを該コアネットワーク装置に送信し、該コアネットワーク装置からフィードバックされたターゲットセルのコアネットワークのタイプを受信する。
【００５４】
選択可能に、第６の態様の一実施形態では、該方法は、
該コアネットワーク装置が該ターゲットセルのコアネットワークのタイプを該アクセスネットワーク装置にフィードバックすることをさらに含む。
【００５５】
選択可能に、アクセスネットワーク装置は、ターゲットセルのコアネットワークのタイプに従ってセルハンドオーバを実行する。
【００５６】
選択可能に、第６の態様の一実施形態では、該ターゲットコアネットワークのタイプ情報は、進化したパケットコア（ＥＰＣ）、又は５Ｇコアネットワーク、又は５ＧコアネットワークとＥＰＣである。
【００５７】
選択可能に、第６の態様の一実施形態では、該コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【００５８】
第７の態様では、本願実施例によるハンドオーバプロセス中にコアネットワークのタイプを決定するための方法は、
ソースセルからターゲットセルへの端末装置のハンドオーバのプロセス中に、ターゲットアクセスネットワーク装置がリクエストメッセージをターゲットコアネットワーク装置に送信することであって、該リクエストメッセージが該ターゲットセルのコアネットワークのタイプをリクエストすることと、
該ターゲットアクセスネットワーク装置が該ターゲットコアネットワーク装置により該リクエストメッセージに対してフィードバックされた該ターゲットセルのコアネットワークのタイプを受信することとを含む。
【００５９】
好ましくは、該ソースコアネットワーク装置が該ターゲットセルのコアネットワークのタイプを決定するように、該ターゲットコアネットワーク装置はソースコアネットワーク装置に該リクエストメッセージを送信する。
【００６０】
理解すべきものとして、ソースセルからターゲットセルへの端末装置のハンドオーバのプロセス中に、該端末装置にサ―ビングするコアネットワーク装置は、ソースコアネットワーク装置からターゲットコアネットワーク装置に変更される。
【００６１】
また、理解すべきものとして、ソースセルからターゲットセルへの端末装置のハンドオーバのプロセス中に、該端末装置によりアクセスされたアクセスネットワーク装置はソースアクセスネットワーク装置からターゲットアクセスネットワーク装置に変更される。
【００６２】
したがって、本願実施例によるハンドオーバプロセス中にコアネットワークのタイプを決定するための方法では、ソースセルからターゲットセルへの端末装置のハンドオーバのプロセス中に、ターゲットアクセスネットワーク装置はターゲットセルのコアネットワークのタイプをリクエストするためのリクエストメッセージをターゲットコアネットワーク装置に送信し、ターゲットコアネットワーク装置はリクエストメッセージをソースコアネットワーク装置に送信し、そのため、ソースコアネットワーク装置は、ターゲットセルのコアネットワークのタイプを決定することができ、さらに、セルハンドオーバのスムーズな実行が保証され、ユーザエクスペリエンスが向上する。
【００６３】
好ましくは、第７の態様の一実施形態では、該方法は、
該ターゲットアクセスネットワーク装置が該ターゲットセルのコアネットワークのタイプに従ってセルハンドオーバを実行することとをさらに含む。
【００６４】
選択可能に、第７の態様の一実施形態では、該ターゲットコアネットワークのタイプ情報は進化したパケットコア（ＥＰＣ）、又は５Ｇコアネットワーク、又は５ＧコアネットワークとＥＰＣである。
【００６５】
選択可能に、第７の態様の一実施形態では、該ソースコアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【００６６】
第８の態様では、本願実施例によるハンドオーバプロセス中にコアネットワークのタイプを決定するための方法は、
ソースセルからターゲットセルへの端末装置のハンドオーバのプロセス中に、ターゲットコアネットワーク装置がリクエストメッセージをソースコアネットワーク装置に送信することであって、該リクエストメッセージが該ターゲットセルのコアネットワークのタイプをリクエストすることと、
該ターゲットコアネットワーク装置が該ソースコアネットワーク装置により該リクエストメッセージに対してフィードバックされた該ターゲットセルのコアネットワークのタイプを受信することとを含む。
【００６７】
理解すべきものとして、ソースセルからターゲットセルへの端末装置のハンドオーバのプロセス中に、該端末装置にサ―ビングするコアネットワーク装置は、ソースコアネットワーク装置からターゲットコアネットワーク装置に変更される。
【００６８】
また、理解すべきものとして、ソースセルからターゲットセルへの端末装置のハンドオーバのプロセス中に、該端末装置によってアクセスされるアクセスネットワーク装置はソースアクセスネットワーク装置からターゲットアクセスネットワーク装置に変更される。
【００６９】
したがって、本願実施例によるハンドオーバプロセス中にコアネットワークのタイプを決定するための方法では、ソースセルからターゲットセルへの端末装置のハンドオーバのプロセス中に、ターゲットコアネットワーク装置はターゲットセルのコアネットワークのタイプをリクエストするためのリクエストメッセージをソースコアネットワーク装置に送信し、そのため、ソースコアネットワーク装置はターゲットセルの該コアネットワークのタイプを決定することができ、さらに、セルハンドオーバのスムーズな実行が保証され、ユーザエクスペリエンスが向上する。
【００７０】
選択可能に、第８の態様の一実施形態では、該ターゲットコアネットワーク装置が該ソースコアネットワーク装置に該リクエストメッセージを送信する前に、該方法は、
該ターゲットコアネットワーク装置が該ターゲットアクセスネットワーク装置から該リクエストメッセージを受信することをさらに含む。
【００７１】
選択可能に、第８の態様の一実施形態では、該方法は、
該ターゲットアクセスネットワーク装置が該ターゲットセルのコアネットワークのタイプに従ってセルハンドオーバを実行するように、該ターゲットコアネットワーク装置が該ターゲットセルのコアネットワークのタイプを該ターゲットアクセスネットワーク装置に送信することをさらに含む。
【００７２】
選択可能に、第８の態様の一実施形態では、該ターゲットコアネットワークのタイプ情報は進化したパケットコア（ＥＰＣ）、又は５Ｇコアネットワーク、又は５ＧコアネットワークとＥＰＣである。
【００７３】
選択可能に、第８の態様の一実施形態では、該ソースコアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【００７４】
選択可能に、第８の態様の一実施形態では、該ターゲットコアネットワーク装置は、ＡＭＦ、又はＭＭＥ、又はＵＤＭ、又はＨＳＳである。
【００７５】
第９の態様では、本願実施例によるハンドオーバプロセス中にコアネットワークのタイプを決定するための方法は、
ソースセルからターゲットセルへの端末装置のハンドオーバのプロセス中に、ソースコアネットワーク装置がターゲットコアネットワーク装置により送信されたリクエストメッセージを受信し、該リクエストメッセージが該ターゲットセルのコアネットワークのタイプをリクエストすることと、
ソースコアネットワーク装置が該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定することと、
該ソースコアネットワーク装置が決定された該ターゲットセルのコアネットワークのタイプを該ターゲットコアネットワーク装置にフィードバックすることとを含む。
【００７６】
理解すべきものとして、ソースセルからターゲットセルへの端末装置のハンドオーバのプロセス中に、該端末装置にサ―ビングするコアネットワーク装置は、ソースコアネットワーク装置からターゲットコアネットワーク装置に変更される。
【００７７】
また、理解すべきものとして、ソースセルからターゲットセルへの端末装置のハンドオーバのプロセス中に、該端末装置によりアクセスされたアクセスネットワーク装置はソースアクセスネットワーク装置からターゲットアクセスネットワーク装置に変更される。
【００７８】
したがって、本願実施例によるハンドオーバプロセス中にコアネットワークのタイプを決定するための方法では、ソースセルからターゲットセルへの端末装置のハンドオーバのプロセス中に、ターゲットコアネットワーク装置はターゲットセルのコアネットワークのタイプをリクエストするためのリクエストメッセージをソースコアネットワーク装置に送信し、そのため、ソースコアネットワーク装置はターゲットセルの該コアネットワークのタイプを決定することができ、さらに、セルハンドオーバのスムーズな実行が保証され、ユーザエクスペリエンスが向上する。
【００７９】
選択可能に、ターゲットアクセスネットワーク装置は、ターゲットセルのコアネットワークのタイプに従ってセルハンドオーバを実行する。
【００８０】
選択可能に、第９の態様の一実施形態では、該ターゲットコアネットワークのタイプ情報は進化したパケットコア（ＥＰＣ）、又は５Ｇコアネットワーク、又は５ＧコアネットワークとＥＰＣである。
【００８１】
選択可能に、第９の態様の一実施形態では、該ソースコアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【００８２】
選択可能に、第９の態様の一実施形態では、該ターゲットコアネットワーク装置は、ＡＭＦ、又はＭＭＥ、又はＵＤＭ、又はＨＳＳである。
【００８３】
第１０の態様では、本願実施例による端末装置は、第１の態様又は第１の態様のいずれかの選択可能な実施形態における方法を実行するためのモジュール又はユニットを備えることができる。
【００８４】
第１１の態様では、本願実施例によるアクセスネットワーク装置は、第２の態様又は第２の態様のいずれかの選択可能な実施形態における方法を実行するためのモジュール又はユニットを備えることができる。
【００８５】
第１２の態様では、本願実施例によるアクセスネットワーク装置は、第３の態様又は第３の態様のいずれかの選択可能な実施形態における方法を実行するためのモジュール又はユニットを備えることができる。
【００８６】
第１３の態様では、本願実施例によるコアネットワーク装置は、第４の態様又は第４の態様のいずれかの選択可能な実施形態における方法を実行するためのモジュール又はユニットを備えることができる。
【００８７】
第１４の態様では、本願実施例によるアクセスネットワーク装置は、第５の態様又は第５の態様のいずれかの選択可能な実施形態における方法を実行するためのモジュール又はユニットを備えることができる。
【００８８】
第１５の態様では、本願実施例によるコアネットワーク装置は、第６の態様又は第６の態様のいずれかの選択可能な実施形態における方法を実行するためのモジュール又はユニットを備えることができる。
【００８９】
第１６の態様では、本願実施例によるアクセスネットワーク装置は、第７の態様又は第７の態様のいずれかの選択可能な実施形態における方法を実行するためのモジュール又はユニットを備えることができる。
【００９０】
第１７の態様では、本願実施例によるコアネットワーク装置は、第８の態様又は第８の態様のいずれかの選択可能な実施形態における方法を実行するためのモジュール又はユニットを備えることができる。
【００９１】
第１８の態様では、本願実施例によるコアネットワーク装置は、第９の態様又は第９の態様のいずれかの選択可能な実施形態における方法を実行するためのモジュール又はユニットを備えることができる。
【００９２】
第１９の態様による端末装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第１の態様又は第１の態様のいずれかの可能な実施形態における方法を実行する。
【００９３】
第２０の態様によるアクセスネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第２の態様又は第２の態様のいずれかの可能な実施形態における方法を実行する。
【００９４】
第２１の態様によるアクセスネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第３の態様又は第３の態様のいずれかの可能な実施形態における方法を実行する。
【００９５】
第２２の態様によるコアネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第４の態様又は第４の態様のいずれかの可能な実施形態における方法を実行する。
【００９６】
第２３の態様によるアクセスネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第５の態様又は第５の態様のいずれかの可能な実施形態における方法を実行する。
【００９７】
第２４の態様によるコアネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第６の態様又は第６の態様のいずれかの可能な実施形態における方法を実行する。
【００９８】
第２５の態様によるアクセスネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第７の態様又は第７の態様のいずれかの可能な実施形態における方法を実行する。
【００９９】
第２６の態様によるアクセスネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第８の態様又は第８の態様のいずれかの可能な実施形態における方法を実行する。
【０１００】
第２７の態様によるコアネットワーク装置は、プロセッサ、メモリおよび通信インタフェースを備える。プロセッサとメモリは通信インタフェースに接続される。メモリは命令を記憶するように構成され、プロセッサは該命令を実行するように構成され、通信インタフェースはプロセッサの制御で他のネットワーク要素と通信するように構成される。該プロセッサが該メモリに記憶された命令を実行する場合、実行により該プロセッサは第９の態様又は第９の態様のいずれかの可能な実施形態における方法を実行する。
【０１０１】
第２８の態様によるコンピュータ可読媒体は、上記のいずれかの方法又はいずれかの可能な実施形態における方法を実行するための命令を含むコンピュータプログラムを記憶する。
【０１０２】
第２９の態様による命令を含むコンピュータプログラム製品は、コンピュータで実行される場合、コンピュータが上記のいずれかの方法又はいずれかの可能な実施形態における方法を実行する。
【図面の簡単な説明】
【０１０３】
【図１】本願実施例の一応用シーンの概略図である。
【図２】本願実施例におけるｅＬＴＥプロトコル層アーキテクチャを示す概略図である。
【図３】本願実施例によるハンドオーバプロセス中にコアネットワークのタイプを決定するための方法の概略フローチャートである。
【図４】本願実施例による別のハンドオーバプロセス中にコアネットワークのタイプを決定するための方法の概略フローチャートである。
【図５】本願実施例によるさらなる別のハンドオーバプロセス中にコアネットワークのタイプを決定するための方法の概略フローチャートである。
【図６】本願実施例によるさらなる別のハンドオーバプロセス中にコアネットワークのタイプを決定するための方法の概略フローチャートである。
【図７】本願実施例によるハンドオーバプロセスの概略フローチャートである。
【図８】本願実施例によるさらなる別のハンドオーバプロセス中にコアネットワークのタイプを決定するための方法の概略フローチャートである。
【図９】本願実施例によるさらなる別のハンドオーバプロセス中にコアネットワークのタイプを決定するための方法の概略フローチャートである。
【図１０】本願実施例による別のハンドオーバプロセスの概略フローチャートである。
【図１１】本願実施例によるさらなる別のハンドオーバプロセスの概略フローチャートである。
【図１２】本願実施例によるさらなる別のハンドオーバプロセス中にコアネットワークのタイプを決定するための方法の概略フローチャートである。
【図１３】本願実施例によるさらなる別のハンドオーバプロセス中にコアネットワークのタイプを決定するための方法の概略フローチャートである。
【図１４】本願実施例によるさらなる別のハンドオーバプロセス中にコアネットワークのタイプを決定するための方法の概略フローチャートである。
【図１５】本願実施例によるさらなる別のハンドオーバプロセスの概略フローチャートである。
【図１６】本願実施例による端末装置の概略ブロック図である。
【図１７】本願実施例によるアクセスネットワーク装置の概略ブロック図である。
【図１８】本願実施例による別のアクセスネットワーク装置の概略ブロック図である。
【図１９】本願実施例によるコアネットワーク装置の概略ブロック図である。
【図２０】本願実施例によるさらなる別のアクセスネットワーク装置の概略ブロック図である。
【図２１】本願実施例による別のコアネットワーク装置の概略ブロック図である。
【図２２】本願実施例によるさらなる別のアクセスネットワーク装置の概略ブロック図である。
【図２３】本願実施例によるさらなる別のコアネットワーク装置の概略ブロック図である。
【図２４】本願実施例によるさらなる別のコアネットワーク装置の概略ブロック図である。
【図２５】本願実施例によるハンドオーバプロセス中にコアネットワークのタイプを決定するための装置を示す概略ブロック図である。
【図２６】本願実施例によるシステムチップの概略構造図である。
【発明を実施するための形態】
【０１０４】
以下に本願実施例における図面と組み合わせながら、本願実施例における技術的解決策を明確且つ全面的に説明する。
【０１０５】
本願実施例の技術的解決策は、様々な通信システム、例えば長期進化（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）システム、グローバル相互接続マイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステムなどに応用されてもよい。
【０１０６】
本願はアクセスネットワーク装置と組み合わせて各実施例を説明する。本願実施例におけるアクセスネットワーク装置は、端末装置と通信するための装置であってもよく、該ネットワーク装置はＬＴＥシステムにおける進化型基地局（ｅＮＢ又はＮｏｄｅＢ：Ｂａｓｅ  Ｔｒａｎｓｃｅｉｖｅｒ  Ｓｔａｔｉｏｎ）であってもよいし、クラウド無線アクセスネットワーク（ＣＲＡＮ：ｌｏｕｄ  Ｒａｄｉｏ  Ａｃｃｅｓｓ  Ｎｅｔｗｏｒｋ）シーンにおける無線コントローラであってもよく、又は該アクセスネットワーク装置は中継局、アクセスポイント、車載デバイス、ウェアラブルデバイス、次世代の進化型基地局（ＮＧ−ｅＮＢ：Ｎｅｘｔ  Ｇｅｎｅｒａｔｉｏｎ  Ｅｖｏｌｕｔｉｏｎａｌ  ＮｏｄｅＢ）及び５Ｇネットワークにおけるアクセスネットワーク装置（例えばｇＮＢ）又は将来の進化した公共陸上モバイルネットワーク（ＰＬＭＮ：Ｐｕｂｌｉｃ  Ｌａｎｄ  Ｍｏｂｉｌｅ  Ｎｅｔｗｏｒｋ）におけるアクセスネットワーク装置などであってもよく、本願実施例では限定されない。
【０１０７】
本願はコアネットワーク装置と組み合わせて各実施例を説明する。本願実施例におけるコアネットワーク装置は、アクセスネットワーク装置と通信するための装置であってもよく、該コアネットワークは５Ｇコアネットワーク装置、アクセスとモビリティ管理機能（ＡＭＦ：Ａｃｃｅｓｓ  ａｎｄ  Ｍｏｂｉｌｉｔｙ  Ｍａｎａｇｅｍｅｎｔ  Ｆｕｎｃｔｉｏｎ）であってもよいし、進化したパケットコア（ＥＰＣ：Ｅｖｏｌｖｅｄ  Ｐａｃｋｅｔ  Ｃｏｒｅ）装置、例えばモビリティ管理エンティティ（ＭＭＥ：Ｍｏｂｉｌｉｔｙ  Ｍａｎａｇｅｍｅｎｔ  Ｅｎｔｉｔｙ）であってもよい。
【０１０８】
図１に１つのアクセスネットワーク装置、１つのコアネットワーク装置と２つの端末装置が例示的に示され、選択可能に、該無線通信システム１００は、複数のアクセスネットワーク装置を備えることができ且つ各アクセスネットワーク装置のカバレッジで他の数の端末装置を備えることができ、本願実施例はこれに限定されない。
【０１０９】
選択可能に、該無線通信システム１００はさらにネットワークコントローラ、移動管理エンティティなどの他のネットワークエンティティを備えることができ、本願実施例はこれに限定されない。
【０１１０】
図２は本願実施例におけるｅＬＴＥプロトコル層アーキテクチャを示す概略図である。
【０１１１】
ｅＬＴＥは、ＬＴＥ  ｅＮＢ（即ちＮＧ−ｅＮＢ）を５Ｇコアネットワークにアクセスし、ＬＴＥ  ｅＮＢのプロトコルスタックにおける無線リンク制御（ＲＬＣ：Ｒａｄｉｏ  Ｌｉｎｋ  Ｃｏｎｔｒｏｌ）層、メディアアクセス制御（ＭＡＣ：Ｍｅｄｉａ  Ａｃｃｅｓｓ  Ｃｏｎｔｒｏｌ）から物理（ＰＨＹ：Ｐｈｙｓｉｃｓ）層でＬＴＥプロトコルを使用し、パケットデータコンバージェンスプロトコル（ＰＤＣＰ：Ｐａｃｋｅｔ  Ｄａｔａ  Ｃｏｎｖｅｒｇｅｎｃｅ  Ｐｒｏｔｏｃｏｌ）層でＬＴＥが進化したユニバーサル地上無線アクセスネットワークプロトコル又は５Ｇ  ＮＲプロトコルを使用できることを指す。
【０１１２】
端末装置（ＵＥ：Ｕｓｅｒ  ｅｑｕｉｐｍｅｎｔ）のＰＤＣＰ層でＬＴＥ  Ｅ−ＵＴＲＡＮプロトコル又は５Ｇ  ＮＲプロトコルを使用することができ、ＮＧ−ｅＮＢのＰＤＣＰ層でＬＴＥ  Ｅ−ＵＴＲＡＮプロトコル又は５Ｇ  ＮＲプロトコルを使用することもできる。
【０１１３】
ＵＥとＮＧ−ｅＮＢは無線リソース制御プロトコル（ＲＲＣ：Ｒａｄｉｏ  Ｒｅｓｏｕｒｃｅ  Ｃｏｎｔｒｏｌ）によって通信接続を実行する。
【０１１４】
ＵＥの非アクセス層（ＮＡＳ：Ｎｏｎ−Ａｃｃｅｓｓ  Ｓｔｒａｔｕｍ）とＡＭＦ装置のＮＡＳ層が通信接続を実行する。
【０１１５】
ｅＬＴＥでは、ＬＴＥプロトコルをサポートするＥＰＣからＬＴＥプロトコルをサポートするＥＰＣへのハンドオーバ、即ちＬＴＥ／ＥＰＣからＬＴＥ／５ＧＣへのハンドオーバがある可能性があり、ターゲットセル（ハンドオーバされたセル）がＥＰＣと５ＧＣを同時にサポートする可能性があり、このハンドオーバプロセスにおいて、ターゲットセルがＥＰＣと５ＧＣを同時にサポートする場合、ハンドオーバプロセスにおいて、ハンドオーバされた後に端末装置がどのコアネットワークのタイプに接続される必要があるかを決定する必要がある。
【０１１６】
選択可能に、ＥＰＣはＬＴＥ仕様に基づくパケットデータユニット（ＰＤＵ：Ｐａｃｋｅｔ  Ｄａｔａ  Ｕｎｉｔ）接続及び進化したパケットシステム（ＥＰＳ：Ｅｖｏｌｖｅｄ  Ｐａｃｋｅｔ  Ｓｙｓｔｅｍ）ベアラを必要とし、５ＧＣは５Ｇ  ＮＲ仕様に基づくＰＤＵセッションとサービス品質（ＱｏＳ：Ｑｕａｌｉｔｙ  ｏｆ  Ｓｅｒｖｉｃｅ）フローを必要とする。
【０１１７】
また、本願実施例の各態様又は特徴は方法、装置又は標準的なプログラミング及び／又はエンジニアリング技術を用いた製品として実現されてもよい。本願で使用される用語「製品」はいかなるコンピュータ可読デバイス、キャリア又はメディアからアクセスすることができるコンピュータプログラムを包含する。例えば、コンピュータ可読媒体は、磁気メモリデバイス（例えば、ハードディスク、フロッピーディスク又は磁気テープなど）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）など）、スマートカード及びフラッシュメモリデバイス（例えば消去可能プログラマブル読み出し専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック又はキードライバなど）を含むことができるがこれらに限定されない。また、本明細書で記載される様々な記憶媒体は、情報を記憶するための１つ又は複数の装置及び／又は他の機械可読媒体を表すことができる。用語「機械可読媒体」は命令及び／又はデータを記憶、包含又は含むことができる各種の媒体を含むことができるがこれらに限定されない。
【０１１８】
理解すべきものとして、本明細書で用語「システム」と「ネットワーク」は常に本明細書で互換可能に使用される。本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１１９】
図３は本願実施例によるハンドオーバプロセス中にコアネットワークのタイプを決定するための方法２００の概略フローチャートである。該方法２００は選択可能に図１に示すシステムに応用されてもよく、該方法２００における端末装置、ソースアクセスネットワーク装置、ターゲットアクセスネットワーク装置とコアネットワーク装置は選択可能に図２に示すｅＬＴＥプロトコル層アーキテクチャを満たすことができるが、これに限定されない。該方法２００は、以下のステップのうちの少なくとも一部を含む。
【０１２０】
ステップ２１０において、ソースセルからターゲットセルへの端末装置のハンドオーバのプロセス中に、該端末装置が該ターゲットセルに対する好ましいコアネットワークのタイプ情報をソースアクセスネットワーク装置に送信し、ここで、該好ましいコアネットワークのタイプ情報が該ターゲットセルのコアネットワークのタイプを決定するための参照情報である。
【０１２１】
理解すべきものとして、ソースセルからターゲットセルへの端末装置のハンドオーバのプロセス中に、該端末装置によりアクセスされたアクセスネットワーク装置はソースアクセスネットワーク装置からターゲットアクセスネットワーク装置に変更される。
【０１２２】
選択可能に、該ソースアクセスネットワーク装置はｅＮＢであってもよいし、ｇＮＢであってもよい。
【０１２３】
選択可能に、該ターゲットアクセスネットワーク装置はｅＮＢであってもよいし、ｇＮＢであってもよい。
【０１２４】
理解すべきものとして、端末装置はソースセルに滞在する場合、ソースアクセスネットワーク装置にアクセスし、端末装置はソースアクセスネットワーク装置を介してコアネットワーク装置とシグナリングインタラクションを実行する。
【０１２５】
理解すべきものとして、端末装置はターゲットセルに滞在する場合、ターゲットアクセスネットワーク装置にアクセスし、端末装置はターゲットアクセスネットワーク装置を介してコアネットワーク装置とシグナリングインタラクションを実行する。
【０１２６】
選択可能に、ソースセルからターゲットセルへの端末装置のハンドオーバのプロセス中に、該コアネットワーク装置は変更しなくてもよく、この時に、該コアネットワーク装置はプロセス間のシグナリングインタラクションによりソースコアネットワーク装置とターゲットコアネットワーク装置により実現される関連機能を実現することができる。
【０１２７】
例えば、端末装置がセルＡからセルＢにハンドオーバするプロセスにおいて、コアネットワーク装置ＡＭＦは変更しないように維持される。
【０１２８】
選択可能に、ソースセルからターゲットセルへの端末装置のハンドオーバのプロセス中に、該コアネットワーク装置は変更することができ、この時に、該コアネットワーク装置はソースネットワーク装置からターゲットコアネットワーク装置に変更されることができ、端末装置はソースアクセスネットワークを介してソースコアネットワーク装置とシグナリングインタラクションを実現し、端末装置はターゲットアクセスネットワーク装置を介してターゲットコアネットワーク装置とインタラクションを行い、ソースアクセスネットワーク装置とターゲットアクセスネットワーク装置はシグナリングインタラクションを実現することもでき、ソースコアネットワーク装置とターゲットコアネットワーク装置はシグナリングインタラクションを実現することもできる。
【０１２９】
例えば、端末装置がセルＣからセルＤにハンドオーバするプロセスにおいて、コアネットワーク装置はＡＭＦからＭＭＥになる。
【０１３０】
また、例えば、端末装置がセルＥからセルＦにハンドオーバするプロセスにおいて、コアネットワーク装置はＡＭＦ１からＡＭＦ２になる。
【０１３１】
選択可能に、ソースセルからターゲットセルへの端末装置のハンドオーバのプロセス中に、端末装置の無線アクセス技術（ＲＡＴ：Ｒａｄｉｏ  Ａｃｃｅｓｓ  Ｔｅｃｈｎｏｌｏｇｙ）が変更しなく、コアネットワーク装置は変更する。例えば、該端末装置のＲＡＴはｅＬＴＥであり、コアネットワーク装置は５ＧＣからＥＰＣになる。
【０１３２】
選択可能に、コアネットワーク装置は、該ターゲットセルのコアネットワークのタイプを決定する時に、該ターゲットセルの好ましいコアネットワークのタイプ情報を参照する。
【０１３３】
選択可能に、該ターゲットセルのコアネットワークのタイプを決定した後、ターゲットアクセスネットワーク装置は、該ターゲットセルのコアネットワークのタイプに従ってセルハンドオーバを実行することができる。
【０１３４】
選択可能に、該ターゲットセルの好ましいコアネットワークのタイプ情報は、端末装置が該ターゲットセルに対して優先的に考慮する１つ又は複数のコアネットワークのタイプである。
【０１３５】
選択可能に、該端末装置の非アクセス層が該端末装置のアクセス層に該好ましいコアネットワークのタイプ情報を送信し、
該端末装置のアクセス層が該好ましいコアネットワークのタイプ情報を該ソースアクセスネットワーク装置に送信する。
【０１３６】
選択可能に、該端末装置の非アクセス層は該ターゲットセルの好ましいコアネットワークのタイプ情報を生成する。
【０１３７】
選択可能に、該端末装置が測定レポートを該ソースアクセスネットワーク装置に送信し、該測定レポートに該好ましいコアネットワークのタイプ情報が搬送される。
【０１３８】
選択可能に、該好ましいコアネットワークのタイプ情報はＥＰＣ、又は５ＧＣ、又は５ＧＣとＥＰＣである。
【０１３９】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【０１４０】
さらに、セルハンドオーバプロセスにおいて、ターゲットアクセスネットワーク装置がターゲットセルのコアネットワークのタイプを知らずに１つのコアネットワークのタイプをデフォルトにするため、コアネットワーク装置の過負荷又は無負荷を引き起こすことが回避される。
【０１４１】
図４は本願実施例によるハンドオーバプロセス中にコアネットワークのタイプを決定するための方法３００の概略フローチャートである。該方法３００は選択可能に図１に示すシステムに応用されてもよく、該方法３００における端末装置、ソースアクセスネットワーク装置、ターゲットアクセスネットワーク装置とコアネットワーク装置は選択可能に図２に示すｅＬＴＥプロトコル層アーキテクチャを満たすことができるが、これに限定されない。該方法３００は、以下のステップのうちの少なくとも一部を含む。
【０１４２】
ステップ３１０において、ソースセルからターゲットセルへの端末装置のハンドオーバのプロセス中に、ソースアクセスネットワーク装置は、該端末装置により送信された、該ターゲットセルに対する好ましいコアネットワークのタイプ情報を受信し、該好ましいコアネットワークのタイプ情報が該ターゲットセルのコアネットワークのタイプを決定するための参照情報である。
【０１４３】
ステップ３２０において、該ソースアクセスネットワーク装置はターゲットアクセスネットワーク装置に該好ましいコアネットワークのタイプ情報を送信する。
【０１４４】
選択可能に、該ソースアクセスネットワーク装置は該端末装置のアクセス層により送信された、該好ましいコアネットワークのタイプ情報を受信する。
【０１４５】
選択可能に、該ソースアクセスネットワーク装置は該端末装置により送信された測定レポートを受信し、該測定レポートに該好ましいコアネットワークのタイプ情報が搬送される。
【０１４６】
選択可能に、該ソースアクセスネットワーク装置はハンドオーバリクエストをターゲットアクセスネットワーク装置に送信し、該ハンドオーバリクエストに該好ましいコアネットワークのタイプ情報が含まれる。
【０１４７】
選択可能に、該好ましいコアネットワークのタイプ情報はＥＰＣ、又は５ＧＣ、又は５ＧＣとＥＰＣである。
【０１４８】
理解すべきものとして、ハンドオーバプロセス中にコアネットワークのタイプを決定するための方法３００におけるステップについて、ハンドオーバプロセス中にコアネットワークのタイプを決定するための方法２００における対応するステップの説明を参照することができ、簡潔にするために、ここでは説明を省略する。
【０１４９】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【０１５０】
さらに、セルハンドオーバプロセスにおいて、ターゲットアクセスネットワーク装置がターゲットセルのコアネットワークのタイプを知らずに１つのコアネットワークのタイプをデフォルトにするため、コアネットワーク装置の過負荷又は無負荷を引き起こすことが回避される。
【０１５１】
図５は本願実施例によるハンドオーバプロセス中にコアネットワークのタイプを決定するための方法４００の概略フローチャートである。該方法４００は選択可能に図１に示すシステムに応用されてもよく、該方法４００における端末装置、ソースアクセスネットワーク装置、ターゲットアクセスネットワーク装置とコアネットワーク装置は選択可能に図２に示すｅＬＴＥプロトコル層アーキテクチャを満たすことができるが、これに限定されない。該方法４００は、以下のステップのうちの少なくとも一部を含む。
【０１５２】
ステップ４１０において、ソースセルからターゲットセルへの端末装置のハンドオーバのプロセス中に、ターゲットアクセスネットワーク装置はソースアクセスネットワーク装置から該ターゲットセルに対する好ましいコアネットワークのタイプ情報を受信し、該好ましいコアネットワークのタイプ情報が該ターゲットセルのコアネットワークのタイプを決定するための参照情報である。
【０１５３】
ステップ４２０において、該コアネットワーク装置が該好ましいコアネットワークのタイプ情報に従って該ターゲットセルのコアネットワークのタイプを決定するように、該ターゲットアクセスネットワーク装置は該好ましいコアネットワークのタイプ情報をコアネットワーク装置に送信する。
【０１５４】
選択可能に、該ターゲットアクセスネットワーク装置はソースアクセスネットワーク装置からハンドオーバリクエストを受信し、該ハンドオーバリクエストに該好ましいコアネットワークのタイプ情報が含まれる。
【０１５５】
選択可能に、該好ましいコアネットワークのタイプ情報はＥＰＣ、又は５ＧＣ、又は５ＧＣとＥＰＣである。
【０１５６】
選択可能に、該方法４００はさらに、
該ターゲットアクセスネットワーク装置が該コアネットワーク装置から該ターゲットセルのコアネットワークのタイプを受信することと、
該ターゲットアクセスネットワーク装置が該ターゲットセルのコアネットワークのタイプに従ってセルハンドオーバを実行することとを含む。
【０１５７】
理解すべきものとして、ハンドオーバプロセス中にコアネットワークのタイプを決定するための方法４００におけるステップについて、ハンドオーバプロセス中にコアネットワークのタイプを決定するための方法２００の対応するステップの説明を参照することができ、簡潔にするために、ここでは説明を省略する。
【０１５８】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【０１５９】
さらに、セルハンドオーバプロセスにおいて、ターゲットアクセスネットワーク装置がターゲットセルのコアネットワークのタイプを知らずに１つのコアネットワークのタイプをデフォルトにするため、コアネットワーク装置の過負荷又は無負荷を引き起こすことが回避される。
【０１６０】
図６は本願実施例によるハンドオーバプロセス中にコアネットワークのタイプを決定するための方法５００の概略フローチャートである。該方法５００は選択可能に図１に示すシステムに応用されてもよく、該方法５００における端末装置、ソースアクセスネットワーク装置、ターゲットアクセスネットワーク装置とコアネットワーク装置は選択可能に図２に示すｅＬＴＥプロトコル層アーキテクチャを満たすことができるが、これに限定されない。該方法５００は、以下のステップのうちの少なくとも一部を含む。
【０１６１】
ステップ５１０において、ソースセルからターゲットセルへの端末装置のハンドオーバのプロセス中に、コアネットワーク装置はターゲットアクセスネットワーク装置により送信された、該ターゲットセルに対する好ましいコアネットワークのタイプ情報を受信し、該好ましいコアネットワークのタイプ情報が該ターゲットセルのコアネットワークのタイプを決定するための参照情報である。
【０１６２】
ステップ５２０において、該コアネットワーク装置は該好ましいコアネットワークのタイプ情報に従って該ターゲットセルのコアネットワークのタイプを決定する。
【０１６３】
選択可能に、該コアネットワーク装置が該好ましいコアネットワークのタイプ情報、及び該端末装置の加入情報、該端末装置に対するＥＰＳベアラ情報、該端末装置に対するＰＤＵセッション情報、ＱｏＳフローの少なくとも１つに従って該ターゲットセルのコアネットワークのタイプを決定する。
【０１６４】
選択可能に、該好ましいコアネットワークのタイプ情報はＥＰＣ、又は５ＧＣ、又は５ＧＣとＥＰＣである。
【０１６５】
選択可能に、該方法５００は、
該コアネットワーク装置が決定された該ターゲットセルのコアネットワークのタイプを該ターゲットアクセスネットワーク装置にフィードバックすることをさらに含む。
【０１６６】
理解すべきものとして、ハンドオーバプロセス中にコアネットワークのタイプを決定するための方法５００におけるステップについて、ハンドオーバプロセス中にコアネットワークのタイプを決定するための方法２００の対応するステップの説明を参照することができ、簡潔にするために、ここでは説明を省略する。
【０１６７】
したがって、本願実施例によるハンドオーバプロセス中にコアネットワークのタイプを決定するための方法では、ソースセルからターゲットセルへの端末装置のハンドオーバのプロセス中に、端末装置は、ターゲットセルの好ましいコアネットワークのタイプ情報を報告し、そのため、コアネットワーク装置はターゲットセルの好ましいコアネットワークのタイプ情報を参照してターゲットセルのコアネットワークのタイプを決定することができ、さらに、セルハンドオーバのスムーズな実行が保証され、ユーザエクスペリエンスが向上する。
【０１６８】
さらに、セルハンドオーバプロセスにおいて、ターゲットアクセスネットワーク装置がターゲットセルのコアネットワークのタイプを知らずに１つのコアネットワークのタイプをデフォルトにするため、コアネットワーク装置の過負荷又は無負荷を引き起こすことが回避される。
【０１６９】
選択可能に、１つの実施例として、図７に示すように、端末装置の非アクセス層、端末装置のアクセス層、ソースアクセスネットワーク装置、ターゲットアクセスネットワーク装置とコアネットワーク装置が情報インタラクションを実行することにより、コアネットワーク装置は、端末装置により報告されたターゲットセルに対する好ましいコアネットワークのタイプ情報に基づき、ターゲットセルのコアネットワークのタイプを決定する。具体的なプロセスは方法６００に示される。
【０１７０】
ステップ６１０において、ＵＥがソースセルからターゲットセルへのハンドオーバのプロセス中に、ＵＥの非アクセス層（ＮＡＳ：Ｎｏｎ−Ａｃｃｅｓｓ  Ｓｔｒａｔｕｍ）はＵＥのアクセス層（ＡＳ：Ａｃｃｅｓｓ  Ｓｔｒａｔｕｍ）へ指示情報を送信し、該指示情報が該ターゲットセルに対する好ましいコアネットワークのタイプ情報を示す。
【０１７１】
ステップ６２０において、ＵＥ  ＡＳはソースアクセスネットワーク装置に測定レポートを報告し、該測定レポートに該ターゲットセルに対する好ましいコアネットワークのタイプ情報が含まれる。
【０１７２】
選択可能に、該測定レポートにはいくつかの他の情報がさらに含まれてもよく、本願はこれに限定されない。
【０１７３】
ステップ６３０において、ソースアクセスネットワーク装置は、ハンドオーバリクエストをターゲットアクセスネットワーク装置に送信し、該ハンドオーバリクエストに該ターゲットセルに対する好ましいコアネットワークのタイプ情報が含まれる。
【０１７４】
選択可能に、該ハンドオーバリクエストにはいくつかの他の情報がさらに含まれてもよく、本願はこれに限定されない。
【０１７５】
ステップ６４０において、ターゲットアクセスネットワーク装置は、該ターゲットセルに対する好ましいコアネットワークのタイプ情報をコアネットワーク装置に送信し、これにより、コアネットワーク装置は、該ターゲットセルのコアネットワークのタイプを決定する時に、該ターゲットセルに対する好ましいコアネットワークのタイプ情報を参照する。
【０１７６】
ステップ６５０において、コアネットワーク装置が該ターゲットセルのコアネットワークのタイプを決定した後、ターゲットアクセスネットワーク装置はハンドオーバリクエストに対する第１の応答メッセージをソースアクセスネットワーク装置にフィードバックし、該第１の応答メッセージに該ターゲットセルのコアネットワークのタイプが含まれる。
【０１７７】
ステップ６６０において、ソースアクセスネットワーク装置はＵＥ  ＡＳに第２の応答メッセージをフィードバックし、該第２の応答メッセージに該ターゲットセルのコアネットワークのタイプが含まれる。
【０１７８】
これにより、端末装置はターゲットセルのコアネットワークのタイプを知ることができる。
【０１７９】
理解すべきものとして、上記方法６００が方法２００、方法３００、方法４００および方法５００における対応するステップに対応し、上記方法６００におけるステップについてハンドオーバプロセスにおけるコアネットワークのタイプを決定するための方法２００の対応するステップを参照することができ、簡潔にするために、ここでは説明を省略する。
【０１８０】
図８は本願実施例によるハンドオーバプロセス中にコアネットワークのタイプを決定するための方法７００の概略フローチャートである。該方法７００は選択可能に図１に示すシステムに応用されてもよく、該方法７００における端末装置、ソースアクセスネットワーク装置、ターゲットアクセスネットワーク装置とコアネットワーク装置は選択可能に図２に示すｅＬＴＥプロトコル層アーキテクチャを満たすことができるが、これに限定されない。該方法７００は、以下のステップのうちの少なくとも一部を含む。
【０１８１】
ステップ７１０において、ソースセルからターゲットセルへの端末装置のハンドオーバのプロセス中に、アクセスネットワーク装置はリクエストメッセージをコアネットワーク装置に送信し、該リクエストメッセージが該ターゲットセルのコアネットワークのタイプをリクエストし、ここで、該端末装置が該ソースセルから該ターゲットセルにハンドオーバするプロセスにおいて、該コアネットワーク装置は変更しない。
【０１８２】
選択可能に、該アクセスネットワーク装置がソースアクセスネットワーク装置であってもよく、該ソースアクセスネットワーク装置は、Ｓ１インタフェース又はＮ２インタフェースを介してコアネットワーク装置に該リクエストメッセージを送信する。
【０１８３】
例えば、ｅＮＢはＳ１インタフェースを介してＭＭＥへ該リクエストメッセージを送信する。
【０１８４】
選択可能に、該アクセスネットワーク装置がターゲットアクセスネットワーク装置であってもよく、該ターゲットアクセスネットワーク装置は、Ｓ１インタフェース又はＮ２インタフェースを介してコアネットワーク装置に該リクエストメッセージを送信する。
【０１８５】
例えば、ｇＮＢはＮ２インタフェースを介してＡＭＦへ該リクエストメッセージを送信する。
【０１８６】
選択可能に、該リクエストメッセージにいくつかの端末装置の情報、例えば、該端末装置の識別子情報、及び／又は、該ターゲットセルのセル識別子（ＧＣＩ：Ｇｌｏｂａｌ  Ｃｅｌｌｕｌａｒ  Ｉｄｅｎｔｉｔｙ）が含まれる。
【０１８７】
ステップ７２０において、該アクセスネットワーク装置は該コアネットワーク装置により該リクエストメッセージに対してフィードバックされた該ターゲットセルのコアネットワークのタイプを受信する。
【０１８８】
選択可能に、該コアネットワーク装置は、該端末装置の加入情報、該端末装置に対するＥＰＳベアラ情報、該端末装置に対するＰＤＵセッション情報、ＱｏＳフローの少なくとも１つに従って該ターゲットセルのコアネットワークのタイプを決定することができる。
【０１８９】
理解すべきものとして、該コアネットワーク装置はさらに該端末装置に対するいくつかの他の情報に従って該ターゲットセルのコアネットワークのタイプの決定を支援することができ、本願はこれに限定されない。
【０１９０】
選択可能に、該方法７００はさらに該アクセスネットワーク装置が該ターゲットセルのコアネットワークのタイプに従ってセルハンドオーバを実行することを含む。
【０１９１】
選択可能に、該ターゲットセルのコアネットワークのタイプ情報がＥＰＣ、又は５ＧＣ、又は５ＧＣとＥＰＣである。
【０１９２】
選択可能に、該コアネットワーク装置はＡＭＦ、又はＭＭＥ、又は統合データ管理（ＵＤＭ：Ｕｎｉｆｉｅｄ  Ｄａｔａ  Ｍａｎａｇｅｍｅｎｔ）、又はホーム加入者サーバ（ＨＳＳ：Ｈｏｍｅ  Ｓｕｂｓｃｒｉｂｅｒ  Ｓｅｒｖｅｒ）である。
【０１９３】
理解すべきものとして、ハンドオーバプロセス中にコアネットワークのタイプを決定するための方法７００におけるステップについて、ハンドオーバプロセス中にコアネットワークのタイプを決定するための方法２００の対応するステップの説明を参照することができ、簡潔にするために、ここでは説明を省略する。
【０１９４】
したがって、本願実施例によるハンドオーバプロセス中にコアネットワークのタイプを決定するための方法では、ソースセルからターゲットセルへの端末装置のハンドオーバのプロセス中に、アクセスネットワーク装置はターゲットセルのコアネットワークのタイプをリクエストするためのリクエストメッセージをコアネットワーク装置に送信し、そのため、コアネットワーク装置は端末装置の加入情報、端末装置に対するＥＰＳベアラ情報、端末装置に対するＰＤＵセッション情報、ＱｏＳフローの少なくとも１つに従ってターゲットセルのコアネットワークのタイプを決定することができ、さらに、セルハンドオーバのスムーズな実行が保証され、ユーザエクスペリエンスが向上する。
【０１９５】
図９は本願実施例によるハンドオーバプロセス中にコアネットワークのタイプを決定するための方法８００の概略フローチャートである。該方法８００は選択可能に図１に示すシステムに応用されてもよく、該方法８００における端末装置、アクセスネットワーク装置とコアネットワーク装置は選択可能に図２に示すｅＬＴＥプロトコル層アーキテクチャを満たすことができるが、これに限定されない。該方法８００は、以下のステップのうちの少なくとも一部を含む。
【０１９６】
ステップ８１０において、ソースセルからターゲットセルへの端末装置のハンドオーバのプロセス中に、コアネットワーク装置はアクセスネットワーク装置により送信されたリクエストメッセージを受信し、該リクエストメッセージが該ターゲットセルのコアネットワークのタイプをリクエストし、ここで、該端末装置が該ソースセルから該ターゲットセルにハンドオーバするプロセスにおいて、該コアネットワーク装置は変更しない。
【０１９７】
ステップ８２０において、該リクエストメッセージを受信した後、該コアネットワーク装置は該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定する。
【０１９８】
選択可能に、該方法８００はさらに該コアネットワーク装置が該ターゲットセルのコアネットワークのタイプを該アクセスネットワーク装置にフィードバックすることを含む。
【０１９９】
選択可能に、該ターゲットセルのコアネットワークのタイプ情報がＥＰＣ、又は５ＧＣ、又は５ＧＣとＥＰＣである。
【０２００】
選択可能に、該コアネットワーク装置は、ＡＭＦ、又はＭＭＥ、又はＵＤＭ、又はＨＳＳである。
【０２０１】
理解すべきものとして、ハンドオーバプロセス中にコアネットワークのタイプを決定するための方法８００のステップについて、ハンドオーバプロセス中にコアネットワークのタイプを決定するための方法２００又はハンドオーバプロセス中にコアネットワークのタイプを決定するための方法７００の対応するステップの説明を参照することができ、簡潔にするために、ここでは説明を省略する。
【０２０２】
したがって、本願実施例によるハンドオーバプロセス中にコアネットワークのタイプを決定するための方法では、ソースセルからターゲットセルへの端末装置のハンドオーバのプロセス中に、アクセスネットワーク装置はターゲットセルのコアネットワークのタイプをリクエストするためのリクエストメッセージをコアネットワーク装置に送信し、そのため、コアネットワーク装置は端末装置の加入情報、端末装置に対するＥＰＳベアラ情報、端末装置に対するＰＤＵセッション情報、ＱｏＳフローの少なくとも１つに従ってターゲットセルのコアネットワークのタイプを決定することができ、さらに、セルハンドオーバのスムーズな実行が保証され、ユーザエクスペリエンスが向上する。
【０２０３】
選択可能に、１つの実施例としてもよく、図１０に示すように、アクセスネットワーク装置がターゲットアクセスネットワーク装置であり、この時に、ターゲットアクセスネットワーク装置はリクエストメッセージをコアネットワーク装置に送信し、これにより、コアネットワーク装置は、ターゲットセルのコアネットワークのタイプを決定する。具体的なプロセスは方法９００に示される。
【０２０４】
ステップ９１０において、ソースセルからターゲットセルへの端末装置のハンドオーバのプロセス中に、ソースアクセスネットワーク装置はハンドオーバリクエストをターゲットコアネットワーク装置に送信する。
【０２０５】
ステップ９２０において、ターゲットアクセスネットワーク装置はリクエストメッセージをコアネットワーク装置に送信し、該リクエストメッセージが該ターゲットセルのコアネットワークのタイプをリクエストする。
【０２０６】
選択可能に、該リクエストメッセージにいくつかの端末装置の情報、例えば、該端末装置の識別子情報、及び／又は、該ターゲットセルのセル識別子（ＧＣＩ：Ｇｌｏｂａｌ  Ｃｅｌｌｕｌａｒ  Ｉｄｅｎｔｉｔｙ）が含まれる。
【０２０７】
ステップ９３０において、コアネットワーク装置は該ターゲットセルのコアネットワークのタイプを決定する。
【０２０８】
選択可能に、コアネットワーク装置は、該端末装置の加入情報、該端末装置に対するＥＰＳベアラ情報、該端末装置に対するＰＤＵセッション情報、ＱｏＳフローの少なくとも１つに従って該ターゲットセルのコアネットワークのタイプを決定する。
【０２０９】
ステップ９４０において、コアネットワーク装置は該ターゲットセルのコアネットワークのタイプをターゲットアクセスネットワーク装置に送信する。
【０２１０】
選択可能に、該ターゲットアクセスネットワーク装置は、該ターゲットセルのコアネットワークのタイプに応じて後のセルハンドオーバを実行する。
【０２１１】
ステップ９５０において、ターゲットアクセスネットワーク装置は、ソースアクセスネットワーク装置にハンドオーバリクエストに対する応答メッセージを送信し、該メッセージに該ターゲットセルのコアネットワークのタイプが含まれ、後のセルハンドオーバを実行する。
【０２１２】
理解すべきものとして、上記方法９００が方法７００と方法８００の対応するステップに対応し、上記方法９００のステップについて、ハンドオーバプロセスにおけるコアネットワークのタイプを決定するための方法２００又はハンドオーバプロセスにおけるコアネットワークのタイプを決定するための方法７００の対応するステップを参照することができ、簡潔にするために、ここでは説明を省略する。
【０２１３】
選択可能に、１つの実施例としてもよく、図１１に示すように、アクセスネットワーク装置がソースアクセスネットワーク装置であり、この時に、ソースアクセスネットワーク装置はリクエストメッセージをコアネットワーク装置に送信し、これにより、コアネットワーク装置は、ターゲットセルのコアネットワークのタイプを決定する。具体的なプロセスは方法１０００に示される。
【０２１４】
ステップ１０１０において、ソースセルからターゲットセルへの端末装置のハンドオーバのプロセス中に、ソースアクセスネットワーク装置はリクエストメッセージをコアネットワーク装置に送信し、該リクエストメッセージが該ターゲットセルのコアネットワークのタイプをリクエストする。
【０２１５】
選択可能に、該リクエストメッセージにいくつかの端末装置の情報、例えば、該端末装置の識別子情報、及び／又は、該ターゲットセルのＧＣＩが含まれる。
【０２１６】
選択可能に、該ソースアクセスネットワーク装置は、Ｓ１インタフェース又はＮ２インタフェースを介してコアネットワーク装置に該リクエストメッセージを送信する。
【０２１７】
ステップ１０２０において、コアネットワーク装置は該ターゲットセルのコアネットワークのタイプを決定する。
【０２１８】
選択可能に、コアネットワーク装置は、該端末装置の加入情報、該端末装置に対するＥＰＳベアラ情報、該端末装置に対するＰＤＵセッション情報、ＱｏＳフローの少なくとも１つに従って該ターゲットセルのコアネットワークのタイプを決定する。
【０２１９】
ステップ１０３０において、コアネットワーク装置は該ターゲットセルのコアネットワークのタイプをソースアクセスネットワーク装置に送信する。
【０２２０】
選択可能に、該ソースアクセスネットワーク装置は、該ターゲットセルのコアネットワークのタイプに応じて後のセルハンドオーバを実行する。
【０２２１】
選択可能に、該コアネットワーク装置は、ＭＭＥ、又はＨＳＳである。
【０２２２】
理解すべきものとして、上記方法１０００が方法７００と方法８００の対応するステップに対応し、上記方法１０００のステップについて、ハンドオーバプロセスにおけるコアネットワークのタイプを決定するための方法２００又はハンドオーバプロセスにおけるコアネットワークのタイプを決定するための方法７００の対応するステップを参照することができ、簡潔にするために、ここでは説明を省略する。
【０２２３】
図１２は本願実施例によるハンドオーバプロセス中にコアネットワークのタイプを決定するための方法１１００の概略フローチャートである。該方法１１００は選択可能に図１に示すシステムに応用されてもよく、該方法１０００における端末装置、ソースアクセスネットワーク装置、ターゲットアクセスネットワーク装置、ソースコアネットワーク装置とターゲットコアネットワーク装置は、選択可能に図２に示すｅＬＴＥプロトコル層アーキテクチャを満たすことができるが、これに限定されない。該方法１１００は、以下のステップのうちの少なくとも一部を含む。
【０２２４】
ステップ１１１０において、ソースセルからターゲットセルへの端末装置のハンドオーバのプロセス中に、ターゲットアクセスネットワーク装置はリクエストメッセージをターゲットコアネットワーク装置に送信し、該リクエストメッセージが該ターゲットセルのコアネットワークのタイプをリクエストする。
【０２２５】
ステップ１１２０において、該ターゲットアクセスネットワーク装置は、該ターゲットコアネットワーク装置により該リクエストメッセージに対してフィードバックされた該ターゲットセルのコアネットワークのタイプを受信する。
【０２２６】
選択可能に、ソースコアネットワーク装置が該端末装置の加入情報、該端末装置に対するＥＰＳベアラ情報、該端末装置に対するＰＤＵセッション情報、ＱｏＳフローの少なくとも１つに従って該ターゲットセルのコアネットワークのタイプを決定するように、ターゲットコアネットワーク装置は、該リクエストメッセ―ジを受信した後、ソースコアネットワーク装置に該リクエストメッセージを送信する。
【０２２７】
選択可能に、該方法１１００はさらに該ターゲットアクセスネットワーク装置が該ターゲットセルのコアネットワークのタイプに従ってセルハンドオーバを実行することを含む。
【０２２８】
選択可能に、該ターゲットコアネットワークのタイプ情報は進化したパケットコア（ＥＰＣ）、又は５Ｇコアネットワーク、又は５ＧコアネットワークとＥＰＣである。
【０２２９】
選択可能に、該ソースコアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０２３０】
理解すべきものとして、ハンドオーバプロセス中にコアネットワークのタイプを決定するための方法１１００のステップについて、ハンドオーバプロセス中にコアネットワークのタイプを決定するための方法２００又はハンドオーバプロセス中にコアネットワークのタイプを決定するための方法７００の対応するステップの説明を参照することができ、簡潔にするために、ここでは説明を省略する。
【０２３１】
したがって、本願実施例によるハンドオーバプロセス中にコアネットワークのタイプを決定するための方法では、ソースセルからターゲットセルへの端末装置のハンドオーバのプロセス中に、ターゲットコアネットワーク装置はターゲットセルのコアネットワークのタイプをリクエストするためのリクエストメッセージをソースコアネットワーク装置に送信し、そのため、ソースコアネットワーク装置はターゲットセルの該コアネットワークのタイプを決定することができ、さらに、セルハンドオーバのスムーズな実行が保証され、ユーザエクスペリエンスが向上する。
【０２３２】
図１３は本願実施例によるハンドオーバプロセス中にコアネットワークのタイプを決定するための方法１２００の概略フローチャートである。該方法１２００は選択可能に図１に示すシステムに応用されてもよく、該方法１２００における端末装置、ソースアクセスネットワーク装置、ターゲットアクセスネットワーク装置、ソースコアネットワーク装置とターゲットコアネットワーク装置は、選択可能に図２に示すｅＬＴＥプロトコル層アーキテクチャを満たすことができるが、これに限定されない。該方法１２００は、以下のステップのうちの少なくとも一部を含む。
【０２３３】
ステップ１２１０において、ソースセルからターゲットセルへの端末装置のハンドオーバのプロセス中に、ターゲットコアネットワーク装置はリクエストメッセージをソースコアネットワーク装置に送信し、該リクエストメッセージが該ターゲットセルのコアネットワークのタイプをリクエストする。
【０２３４】
ステップ１２２０において、該ターゲットコアネットワーク装置は該ソースコアネットワーク装置により該リクエストメッセージに対してフィードバックされた該ターゲットセルのコアネットワークのタイプを受信する。
【０２３５】
選択可能に、該ターゲットコアネットワーク装置が該ソースコアネットワーク装置に該リクエストメッセージを送信する前に、該方法１２００はさらに、該ターゲットコアネットワーク装置が該ターゲットアクセスネットワーク装置から該リクエストメッセージを受信する。
【０２３６】
選択可能に、該方法１２００はさらに、該ターゲットアクセスネットワーク装置が該ターゲットセルのコアネットワークのタイプに従ってセルハンドオーバを実行するように、該ターゲットコアネットワーク装置が該ターゲットセルのコアネットワークのタイプを該ターゲットアクセスネットワーク装置に送信することを含む。
【０２３７】
選択可能に、該ターゲットコアネットワークのタイプ情報は進化したパケットコア（ＥＰＣ）、又は５Ｇコアネットワーク、又は５ＧコアネットワークとＥＰＣである。
【０２３８】
選択可能に、該ソースコアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０２３９】
選択可能に、該ターゲットコアネットワーク装置は、ＡＭＦ、又はＭＭＥ、又はＵＤＭ、又はＨＳＳである。
【０２４０】
理解すべきものとして、ハンドオーバプロセス中にコアネットワークのタイプを決定するための方法１２００のステップについて、ハンドオーバプロセス中にコアネットワークのタイプを決定するための方法２００又はハンドオーバプロセス中にコアネットワークのタイプを決定するための方法７００の対応するステップの説明を参照することができ、簡潔にするために、ここでは説明を省略する。
【０２４１】
したがって、本願実施例によるハンドオーバプロセス中にコアネットワークのタイプを決定するための方法では、ソースセルからターゲットセルへの端末装置のハンドオーバのプロセス中に、ターゲットコアネットワーク装置はターゲットセルのコアネットワークのタイプをリクエストするためのリクエストメッセージをソースコアネットワーク装置に送信し、そのため、ソースコアネットワーク装置はターゲットセルの該コアネットワークのタイプを決定することができ、さらに、セルハンドオーバのスムーズな実行が保証され、ユーザエクスペリエンスが向上する。
【０２４２】
図１４は本願実施例によるハンドオーバプロセス中にコアネットワークのタイプを決定するための方法１３００の概略フローチャートである。該方法１３００は選択可能に図１に示すシステムに応用されてもよく、該方法１３００における端末装置、ソースアクセスネットワーク装置、ターゲットアクセスネットワーク装置、ソースコアネットワーク装置とターゲットコアネットワーク装置は、選択可能に図２に示すｅＬＴＥプロトコル層アーキテクチャを満たすことができるが、これに限定されない。該方法１３００は、以下のステップのうちの少なくとも一部を含む。
【０２４３】
ステップ１３１０において、ソースセルからターゲットセルへの端末装置のハンドオーバのプロセス中に、ソースコアネットワーク装置はターゲットコアネットワーク装置により送信されたリクエストメッセージを受信し、該リクエストメッセージが該ターゲットセルのコアネットワークのタイプをリクエストする。
【０２４４】
ステップ１３２０において、ソースコアネットワーク装置は、該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定する。
【０２４５】
ステップ１３３０において、該ソースコアネットワーク装置は、決定された該ターゲットセルのコアネットワークのタイプを該ターゲットコアネットワーク装置にフィードバックする。
【０２４６】
選択可能に、該ターゲットコアネットワークのタイプ情報は進化したパケットコア（ＥＰＣ）、又は５Ｇコアネットワーク、又は５ＧコアネットワークとＥＰＣである。
【０２４７】
選択可能に、該ソースコアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０２４８】
選択可能に、該ターゲットコアネットワーク装置は、ＡＭＦ、又はＭＭＥ、又はＵＤＭ、又はＨＳＳである。
【０２４９】
理解すべきものとして、ハンドオーバプロセス中にコアネットワークのタイプを決定するための方法１３００のステップについて、ハンドオーバプロセス中にコアネットワークのタイプを決定するための方法２００又はハンドオーバプロセス中にコアネットワークのタイプを決定するための方法７００の対応するステップの説明を参照することができ、簡潔にするために、ここでは説明を省略する。
【０２５０】
したがって、本願実施例によるハンドオーバプロセス中にコアネットワークのタイプを決定するための方法では、ソースセルからターゲットセルへの端末装置のハンドオーバのプロセス中に、ターゲットコアネットワーク装置はターゲットセルのコアネットワークのタイプをリクエストするためのリクエストメッセージをソースコアネットワーク装置に送信し、そのため、ソースコアネットワーク装置はターゲットセルの該コアネットワークのタイプを決定することができ、さらに、セルハンドオーバのスムーズな実行が保証され、ユーザエクスペリエンスが向上する。
【０２５１】
選択可能に、１つの実施例としてもよく、図１５に示すように、ターゲットアクセスネットワーク装置、ターゲットコアネットワークとソースコアネットワーク装置が情報インタラクションを実行することにより、ソースコアネットワーク装置はターゲットセルのコアネットワークのタイプを決定する。具体的なプロセスは方法１４００に示される。
【０２５２】
ステップ１４１０において、ソースセルからターゲットセルへの端末装置のハンドオーバのプロセス中に、ソースアクセスネットワーク装置はハンドオーバリクエストをターゲットコアネットワーク装置に送信する。
【０２５３】
ステップ１４２０において、ターゲットアクセスネットワーク装置はターゲットコアネットワーク装置に第１のリクエストメッセージを送信し、該第１のリクエストメッセージが該ターゲットセルのコアネットワークのタイプをリクエストする。
【０２５４】
選択可能に、該第１のリクエストメッセージにいくつかの端末装置の情報、例えば、該端末装置の識別子情報、及び／又は、該ターゲットセルのセル識別子（ＧＣＩ：Ｇｌｏｂａｌ  Ｃｅｌｌｕｌａｒ  Ｉｄｅｎｔｉｔｙ）が含まれる。
【０２５５】
ステップ１４３０において、ターゲットアクセスネットワーク装置は第２のリクエストメッセージをソースアクセスネットワーク装置に送信し、該第２のリクエストメッセージが該ターゲットセルのコアネットワークのタイプをリクエストする。
【０２５６】
選択可能に、該第２のリクエストメッセージと該第１のリクエストメッセージは同一のリクエストメッセージであってもよい。
【０２５７】
選択可能に、該第２のリクエストメッセージと該第１のリクエストメッセージは異なるリクエストメッセージであってもよく、それに含まれる情報が異なってもよいが、その作用が同じである。
【０２５８】
例えば、該第１のリクエストメッセージにいくつかの端末装置の関連情報、例えば端末装置の識別子情報が含まれてもよく、これにより、ターゲットコアネットワーク装置はソースコアネットワーク装置を見つけ、情報インタラクションを実行することができる。
【０２５９】
ステップ１４４０において、ソースコアネットワーク装置は該ターゲットセルのコアネットワークのタイプを決定する。
【０２６０】
選択可能に、ソースコアネットワーク装置は、該端末装置の加入情報、該端末装置に対するＥＰＳベアラ情報、該端末装置に対するＰＤＵセッション情報、ＱｏＳフローの少なくとも１つに従って該ターゲットセルのコアネットワークのタイプを決定する。
【０２６１】
ステップ１４５０において、ソースコアネットワーク装置は決定された該ターゲットセルのコアネットワークのタイプをターゲットアクセスネットワーク装置にフィードバックする。
【０２６２】
ステップ１４６０において、ターゲットコアネットワーク装置は該ターゲットセルのコアネットワークのタイプをターゲットアクセスネットワーク装置にフィードバックする。
【０２６３】
選択可能に、該ターゲットアクセスネットワーク装置は、該ターゲットセルのコアネットワークのタイプに応じて後のセルハンドオーバを実行する。
【０２６４】
ステップ１４７０において、ターゲットアクセスネットワーク装置は、ハンドオーバリクエストに対する応答メッセージをソースアクセスネットワーク装置に送信し、該メッセージに該ターゲットセルのコアネットワークのタイプが含まれ、後のセルハンドオーバを実行する。
【０２６５】
理解すべきものとして、上記方法１４００が方法１１００、方法１２００および方法１３００の対応するステップに対応し、上記方法１４００のステップについて、ハンドオーバプロセスにおけるコアネットワークのタイプを決定するための方法２００又はハンドオーバプロセスにおけるコアネットワークのタイプを決定するための方法７００の対応するステップを参照することができ、簡潔にするために、ここでは説明を省略する。
【０２６６】
図１６は本願実施例による端末装置１５００の概略ブロック図である。図１６に示すように、該端末装置１５００は、
ソースセルからターゲットセルへのハンドオーバのプロセス中に、該ターゲットセルに対する好ましいコアネットワークのタイプ情報をソースアクセスネットワーク装置に送信するように構成され、ここで、該好ましいコアネットワークのタイプ情報が該ターゲットセルのコアネットワークのタイプを決定するための参照情報である送信ユニット１５１０を備える。
【０２６７】
選択可能に、該端末装置１５００はさらに、
該好ましいコアネットワークのタイプ情報を該端末装置のアクセス層に送信するように構成される非アクセス層装置１５２０と、
該好ましいコアネットワークのタイプ情報を該ソースアクセスネットワーク装置に送信するように構成されるアクセス層装置１５３０とを備える。
【０２６８】
選択可能に、該送信ユニット１５１０は、さらに測定レポートを該ソースアクセスネットワーク装置に送信するように構成され、該測定レポートに該好ましいコアネットワークのタイプ情報が搬送される。
【０２６９】
選択可能に、該好ましいコアネットワークのタイプ情報は進化したパケットコア（ＥＰＣ）、又は５Ｇコアネットワーク、又は５ＧコアネットワークとＥＰＣである。
【０２７０】
理解すべきものとして、本願実施例による端末装置１５００は本願の方法２００における端末装置に対応してもよく、且つ端末装置１５００の各ユニットの上記と他の操作及び／又は機能はそれぞれ図３に示す方法２００における端末装置の対応するプロセスを実現するためのものであり、簡潔するために、ここでは説明を省略する。
【０２７１】
図１７は本願実施例によるアクセスネットワーク装置１６００の概略ブロック図である。図１７に示すように、該アクセスネットワーク装置１６００は、
ソースセルからターゲットセルへの端末装置のハンドオーバのプロセス中に、該端末装置により送信された、該ターゲットセルに対する好ましいコアネットワークのタイプ情報を受信するように構成される受信ユニット１６１０であって、該好ましいコアネットワークのタイプ情報が該ターゲットセルのコアネットワークのタイプを決定するための参照情報である受信ユニット１６１０と、
ターゲットアクセスネットワーク装置に該好ましいコアネットワークのタイプ情報を送信するように構成される送信ユニット１６２０とを備える。
【０２７２】
選択可能に、該受信ユニット１６１０はさらに該端末装置のアクセス層により送信された該好ましいコアネットワークのタイプ情報を受信するように構成される。
【０２７３】
選択可能に、該受信ユニット１６１０は、さらに該端末装置により送信された測定レポートを受信するように構成され、該測定レポートに該好ましいコアネットワークのタイプ情報が搬送される。
【０２７４】
選択可能に、該送信ユニット１６２０は、さらにハンドオーバリクエストをターゲットアクセスネットワーク装置に送信するように構成され、該ハンドオーバリクエストに該好ましいコアネットワークのタイプ情報が含まれる。
【０２７５】
選択可能に、該好ましいコアネットワークのタイプ情報は進化したパケットコア（ＥＰＣ）、又は５Ｇコアネットワーク、又は５ＧコアネットワークとＥＰＣである。
【０２７６】
理解すべきものとして、本願実施例によるアクセスネットワーク装置１６００は本願の方法３００のソースアクセスネットワーク装置に対応してもよく、且つアクセスネットワーク装置１６００の各ユニットの上記と他の操作及び／又は機能はそれぞれ図４に示す方法３００におけるソースアクセスネットワーク装置の対応するプロセスを実現するためのものであり、簡潔するために、ここでは説明を省略する。
【０２７７】
図１８は本願実施例によるアクセスネットワーク装置１７００の概略ブロック図である。図１８に示すように、該アクセスネットワーク装置１７００は、
ソースセルからターゲットセルへの端末装置のハンドオーバのプロセス中に、ソースアクセスネットワーク装置から該ターゲットセルに対する好ましいコアネットワークのタイプ情報を受信するように構成される受信ユニット１７１０であって、該好ましいコアネットワークのタイプ情報が該ターゲットセルのコアネットワークのタイプを決定するための参照情報である受信ユニット１７１０と、
該コアネットワーク装置が該好ましいコアネットワークのタイプ情報に従って該ターゲットセルのコアネットワークのタイプを決定するように、該好ましいコアネットワークのタイプ情報をコアネットワーク装置に送信するように構成される送信ユニット１７２０とを備える。
【０２７８】
選択可能に、該受信ユニット１７１０はさらにソースアクセスネットワーク装置からハンドオーバリクエストを受信するように構成され、該ハンドオーバリクエストに該好ましいコアネットワークのタイプ情報が含まれる。
【０２７９】
選択可能に、該好ましいコアネットワークのタイプ情報は進化したパケットコア（ＥＰＣ）、又は５Ｇコアネットワーク、又は５ＧコアネットワークとＥＰＣである。
【０２８０】
選択可能に、該アクセスネットワーク装置１７００は、
該受信ユニット１７１０がさらに該コアネットワーク装置から該ターゲットセルのコアネットワークのタイプを受信するように構成され、
該ターゲットセルのコアネットワークのタイプに従ってセルハンドオーバを実行するように構成される処理ユニット１７３０をさらに備える。
【０２８１】
理解すべきものとして、本願実施例によるアクセスネットワーク装置１７００は本願の方法４００のターゲットアクセスネットワーク装置に対応してもよく、且つアクセスネットワーク装置１７００の各ユニットの上記と他の操作及び／又は機能はそれぞれ図５に示す方法４００におけるターゲットアクセスネットワーク装置の対応するプロセスを実現するためのものであり、簡潔するために、ここでは説明を省略する。
【０２８２】
図１９は本願実施例によるコアネットワーク装置１８００の概略ブロック図である。図１９に示すように、該コアネットワーク装置１８００は、
ソースセルからターゲットセルへの端末装置のハンドオーバのプロセス中に、ターゲットアクセスネットワーク装置により送信された該ターゲットセルに対する好ましいコアネットワークのタイプ情報を受信するように構成される受信ユニット１８１０であって、該好ましいコアネットワークのタイプ情報が該ターゲットセルのコアネットワークのタイプを決定するための参照情報である受信ユニット１８１０と、
該好ましいコアネットワークのタイプ情報に従って該ターゲットセルのコアネットワークのタイプを決定するように構成される処理ユニット１８２０とを備える。
【０２８３】
選択可能に、該処理ユニット１８２０はさらに該好ましいコアネットワークのタイプ情報、及び該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定するように構成される。
【０２８４】
選択可能に、該好ましいコアネットワークのタイプ情報は進化したパケットコア（ＥＰＣ）、又は５Ｇコアネットワーク、又は５ＧコアネットワークとＥＰＣである。
【０２８５】
選択可能に、該コアネットワーク装置１８００はさらに、
決定された該ターゲットセルのコアネットワークのタイプを該ターゲットアクセスネットワーク装置にフィードバックするように構成される送信ユニット１８３０を備える。
【０２８６】
理解すべきものとして、本願実施例によるコアネットワーク装置１８００は本願の方法５００のコアネットワーク装置に対応してもよく、且つコアネットワーク装置１８００の各ユニットの上記と他の操作及び／又は機能はそれぞれ図６に示す方法５００におけるコアネットワーク装置の対応するプロセスを実現するためのものであり、簡潔するために、ここでは説明を省略する。
【０２８７】
図２０は本願実施例によるアクセスネットワーク装置１９００の概略ブロック図である。図２０に示すように、該アクセスネットワーク装置１９００は、
ソースセルからターゲットセルへの端末装置のハンドオーバのプロセス中に、リクエストメッセージをコアネットワーク装置に送信するように構成される送信ユニット１９１０であって、該リクエストメッセージが該ターゲットセルのコアネットワークのタイプをリクエストし、ここで、該端末装置が該ソースセルから該ターゲットセルにハンドオーバするプロセスにおいて、該コアネットワーク装置が変更しない送信ユニット１９１０と、
該コアネットワーク装置により該リクエストメッセージに対してフィードバックされた該ターゲットセルのコアネットワークのタイプを受信するように構成される受信ユニット１９２０とを備える。
【０２８８】
選択可能に、該アクセスネットワーク装置１９００はさらに、
該ターゲットセルのコアネットワークのタイプに従ってセルハンドオーバを実行するように構成される処理ユニット１９３０をさらに備える。
【０２８９】
選択可能に、該ターゲットコアネットワークのタイプ情報は進化したパケットコア（ＥＰＣ）、又は５Ｇコアネットワーク、又は５ＧコアネットワークとＥＰＣである。
【０２９０】
選択可能に、該コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０２９１】
理解すべきものとして、本願実施例によるアクセスネットワーク装置１９００は本願の方法７００のアクセスネットワーク装置に対応してもよく、且つアクセスネットワーク装置１９００の各ユニットの上記と他の操作及び／又は機能はそれぞれ図８に示す方法７００におけるアクセスネットワーク装置の対応するプロセスを実現するためのものであり、簡潔するために、ここでは説明を省略する。
【０２９２】
図２１は本願実施例によるコアネットワーク装置２０００の概略ブロック図である。図２１に示すように、該コアネットワーク装置２０００は、
ソースセルからターゲットセルへの端末装置のハンドオーバのプロセス中に、アクセスネットワーク装置により送信されたリクエストメッセージを受信するように構成される受信ユニット２０１０であって、該リクエストメッセージが該ターゲットセルのコアネットワークのタイプをリクエストし、ここで、該端末装置が該ソースセルから該ターゲットセルにハンドオーバするプロセスにおいて、該コアネットワーク装置が変更しない受信ユニット２０１０と、
該受信ユニットが該リクエストメッセージを受信した後、該コアネットワーク装置が該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定するように構成される処理ユニット２０２０とを備える。
【０２９３】
選択可能に、該コアネットワーク装置２０００はさらに、
該ターゲットセルのコアネットワークのタイプを該アクセスネットワーク装置にフィードバックするように構成される送信ユニット２０３０を備える。
【０２９４】
選択可能に、該ターゲットコアネットワークのタイプ情報は進化したパケットコア（ＥＰＣ）、又は５Ｇコアネットワーク、又は５ＧコアネットワークとＥＰＣである。
【０２９５】
選択可能に、該コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０２９６】
理解すべきものとして、本願実施例によるコアネットワーク装置２０００は本願の方法８００のコアネットワーク装置に対応してもよく、且つコアネットワーク装置２０００の各ユニットの上記と他の操作及び／又は機能はそれぞれ図９に示す方法８００におけるコアネットワーク装置の対応するプロセスを実現するためのものであり、簡潔するために、ここでは説明を省略する。
【０２９７】
図２２は本願実施例によるアクセスネットワーク装置２１００の概略ブロック図である。図２２に示すように、該アクセスネットワーク装置２１００は、
ソースセルからターゲットセルへの端末装置のハンドオーバのプロセス中に、リクエストメッセージをターゲットコアネットワーク装置に送信するように構成される送信ユニット２１１０であって、該リクエストメッセージが該ターゲットセルのコアネットワークのタイプをリクエストする送信ユニット２１１０と、
該ターゲットコアネットワーク装置により該リクエストメッセージに対してフィードバックされた該ターゲットセルのコアネットワークのタイプを受信するように構成される受信ユニット２１２０とを備える。
【０２９８】
選択可能に、該アクセスネットワーク装置２１００はさらに、
該ターゲットセルのコアネットワークのタイプに従ってセルハンドオーバを実行するように構成される処理ユニット２１３０をさらに備える。
【０２９９】
選択可能に、該ターゲットコアネットワークのタイプ情報は進化したパケットコア（ＥＰＣ）、又は５Ｇコアネットワーク、又は５ＧコアネットワークとＥＰＣである。
【０３００】
選択可能に、該コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０３０１】
理解すべきものとして、本願実施例によるアクセスネットワーク装置２１００は本願の方法１１００のターゲットアクセスネットワーク装置に対応してもよく、且つアクセスネットワーク装置２１００の各ユニットの上記と他の操作及び／又は機能はそれぞれ図１２に示す方法１１００におけるターゲットアクセスネットワーク装置の対応するプロセスを実現するためのものであり、簡潔するために、ここでは説明を省略する。
【０３０２】
図２３は本願実施例によるコアネットワーク装置２２００の概略ブロック図である。図２３に示すように、該コアネットワーク装置２２００は、
ソースセルからターゲットセルへの端末装置のハンドオーバのプロセス中に、リクエストメッセージをソースコアネットワーク装置に送信するように構成される送信ユニット２２１０であって、該リクエストメッセージが該ターゲットセルのコアネットワークのタイプをリクエストする送信ユニット２２１０と、
該ソースコアネットワーク装置により該リクエストメッセージに対してフィードバックされた該ターゲットセルのコアネットワークのタイプを受信するように構成される受信ユニット２２２０とを備える。
【０３０３】
選択可能に、該送信ユニット２２１０が該ソースコアネットワーク装置に該リクエストメッセージを送信する前に、該受信ユニット２２２０はさらに該ターゲットアクセスネットワーク装置から該リクエストメッセージを受信するように構成される。
【０３０４】
選択可能に、該ターゲットアクセスネットワーク装置が該ターゲットセルのコアネットワークのタイプに従ってセルハンドオーバを実行するように、該送信ユニット２２１０はさらに該ターゲットセルのコアネットワークのタイプを該ターゲットアクセスネットワーク装置に送信するように構成される。
【０３０５】
選択可能に、該ターゲットコアネットワークのタイプ情報は進化したパケットコア（ＥＰＣ）、又は５Ｇコアネットワーク、又は５ＧコアネットワークとＥＰＣである。
【０３０６】
選択可能に、該ソースコアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０３０７】
選択可能に、該コアネットワーク装置は、ＡＭＦ、又はＭＭＥ、又はＵＤＭ、又はＨＳＳである。
【０３０８】
理解すべきものとして、本願実施例によるネットワーク装置２２００は本願の方法１２００におけるターゲットコアネットワーク装置に対応してもよく、且つコアネットワーク装置２２００の各ユニットの上記と他の操作及び／又は機能はそれぞれ図１３の方法に示す方法１２００におけるターゲットコアネットワーク装置の対応するプロセスを実現するためのものであり、簡潔するために、ここでは説明を省略する。
【０３０９】
図２４は本願実施例によるコアネットワーク装置２３００の概略ブロック図である。図２４に示すように、該コアネットワーク装置２３００は、
ソースセルからターゲットセルへの端末装置のハンドオーバのプロセス中に、ターゲットコアネットワーク装置により送信されたリクエストメッセージを受信するように構成される受信ユニット２３１０であって、該リクエストメッセージが該ターゲットセルのコアネットワークのタイプをリクエストする受信ユニット２３１０と、
該端末装置の加入情報、該端末装置に対する、進化したパケットシステム（ＥＰＳ）ベアラ情報、該端末装置に対するプロトコルデータユニット（ＰＤＵ）セッション情報、サービス品質（ＱｏＳ）フローのうちの少なくとも１つに従って該ターゲットセルのコアネットワークのタイプを決定するように構成される処理ユニット２３２０と、
決定された該ターゲットセルのコアネットワークのタイプを該ターゲットコアネットワーク装置にフィードバックするように構成される送信ユニット２３３０とを備える。
【０３１０】
選択可能に、該ターゲットコアネットワークのタイプ情報は進化したパケットコア（ＥＰＣ）、又は５Ｇコアネットワーク、又は５ＧコアネットワークとＥＰＣである。
【０３１１】
選択可能に、該コアネットワーク装置はアクセス及びモビリティ管理機能（ＡＭＦ）、又はモビリティ管理エンティティ（ＭＭＥ）、又は統合データ管理（ＵＤＭ）、又はホーム加入者サーバ（ＨＳＳ）である。
【０３１２】
選択可能に、該ターゲットコアネットワーク装置は、ＡＭＦ、又はＭＭＥ、又はＵＤＭ、又はＨＳＳである。
【０３１３】
理解すべきものとして、本願実施例によるコアネットワーク装置２３００は本願の方法１３００のソースコアネットワーク装置に対応してもよく、且つコアネットワーク装置２３００の各ユニットの上記と他の操作及び／又は機能はそれぞれ図１４に示す方法１３００におけるソースコアネットワーク装置の対応するプロセスを実現するためのものであり、簡潔するために、ここでは説明を省略する。
【０３１４】
図２５は本願実施例によるハンドオーバプロセス中にコアネットワークのタイプを決定するための装置２４００を示す概略ブロック図である。該装置２４００は、
コードを含むプログラムを記憶するように構成されるメモリ２４１０と、
他の装置と通信するように構成される送受信機２４２０と、
メモリ２４１０でのプログラムコードを実行するように構成されるプロセッサ２４３０とを備える。
【０３１５】
選択可能に、該コードが実行される場合、該プロセッサ２４３０は図３の方法２００、又は図７の方法６００における端末装置によって実行される各操作を実現することができ、簡潔にするために、ここで説明を省略する。この場合、該装置２４００は端末装置（例えば携帯電話）であってもよい。送受信機２４２０はプロセッサ２４３０の駆動で具体的な信号送受信を実行するように構成される。
【０３１６】
選択可能に、該コードが実行される場合、該プロセッサ２４３０は図４における方法３００、又は図５における方法４００、又は図７における方法６００、又は図８における方法７００、又は図１０における方法９００、又は図１１における方法１０００、又は図１２における方法１１００、又は図１５における方法１４００におけるアクセスネットワーク装置によって実行される各操作を実現することができ、簡潔にするために、ここで説明を省略する。この場合、該装置２４００はアクセスネットワーク装置（例えば基地局）であってもよい。
【０３１７】
選択可能に、該コードが実行される場合、該プロセッサ２４３０はさらに図６における方法５００、又は図７における方法６００、又は図９における方法８００、又は図１０における方法９００、又は図１１における方法１０００、又は図１３における方法１２００、又は図１５における方法１４００におけるコアネットワーク装置、又はソースコアネットワーク装置、又はターゲットコアネットワーク装置によって実行される各操作を実現することができ、簡潔にするために、ここで説明を省略する。この場合、該装置２４００はコアネットワーク装置（例えば基地局、ＭＭＥ又はＡＭＦ）であってもよい。
【０３１８】
理解すべきものとして、本願実施例では、該プロセッサ２４３０は中央処理ユニット（ＣＰＵ：Ｃｅｎｔｒａｌ  Ｐｒｏｃｅｓｓｉｎｇ  Ｕｎｉｔ）であってもよく、該プロセッサ２４３０はさらに他の汎用プロセッサ、デジタル信号プロセッサ（ＤＳＰ）、専用集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェアコンポーネントなどであってもよい。汎用プロセッサはマイクロプロセッサであってもよく、又は該プロセッサはいずれかの従来のプロセッサなどであってもよい。
【０３１９】
該メモリ２４１０は読み取り専用メモリとランダムアクセスメモリを含み、そしてプロセッサ２４３０へ命令とデータを提供することができる。メモリ２４１０の一部はさらに不揮発性ランダムアクセスメモリを含むことができる。例えば、メモリ２４１０はさらに装置タイプの情報を記憶することができる。
【０３２０】
送受信機２４２０は信号送信及び受信機能、例えば周波数変調及び復調機能又はアップコンバート及びダウンコンバート機能を実現することに用いられてもよい。
【０３２１】
実施プロセスでは、上記方法の少なくとも１つのステップは、プロセッサ２４３０内のハードウェアの集積論理回路によって完了されてもよく、又は該集積論理回路はソフトウェアの形の命令によって駆動されて該少なくとも１つのステップを完了することができる。したがって、ハンドオーバプロセスにおいてコアネットワークのタイプを決定するための２４００は、チップ又はチップ群であってもよい。本願実施例と組み合わせて開示された方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサ２４３０はメモリにおける情報を読み取り、そのハードウェアと組み合わせて上記方法のステップを完了する。繰り返しを回避するために、ここで詳細な説明を省略する。
【０３２２】
図２６は本願実施例によるシステムチップ２５００を示す概略構造図である。図２６のシステムチップ２５００は内部通信接続線を介して接続することができる入力インタフェース２５０１、出力インタフェース２５０２、プロセッサ２５０３とメモリ２５０４を備え、該プロセッサ２５０３が該メモリ２５０４でのコードを実行するように構成される。
【０３２３】
選択可能に、該コードが実行される場合、該プロセッサ２５０３は方法の実施例における端末装置によって実行される方法を実現する。簡潔にするために、ここでは説明を省略する。
【０３２４】
選択可能に、該コードが実行される場合、該プロセッサ２５０３は方法の実施例におけるアクセスネットワーク装置によって実行される方法を実行する。簡潔にするために、ここでは説明を省略する。
【０３２５】
選択可能に、該コードが実行される場合、該プロセッサ２５０３は方法の実施例におけるコアネットワーク装置によって実行される方法を実行する。簡潔にするために、ここでは説明を省略する。
【０３２６】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウェア又はソフトウェアで実行されるかは、技術的解決策の特定アプリケーションと設計制約条件に依存する。当業者は各特定のアプリケーションに対して異なる方法を用いて記述される機能を実現することができるが、このような実現は本願の範囲を超えると考えられるべきではない。
【０３２７】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０３２８】
本願が提供する、いくつかの実施例では、開示されるシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分モードもあり得、例えば複数のユニット又はコンポーネントは組み合わせられてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０３２９】
分離部材として説明された前記ユニットは物理的に分離するものであってもよく又は物理的に分離するものでなくてもよく、ユニットとして表示された部材は物理的ユニットであってもよく又は物理的ユニットでなくてもよく、即ち１つの箇所に位置してもよく、又は複数のネットワークユニットに分布してもよい。実際のニーズに応じてそのうちの一部又は全てのユニットを選択して本実施例の解決策の目的を達成することができる。
【０３３０】
また、本願の各実施例における各機能ユニットは１つの処理ユニットに統合されてもよく、個々のユニットは単独で物理的に存在してもよく、二つ又は二つ以上のユニットは１つのユニットに統合されてもよい。
【０３３１】
前記機能はソフトウェア機能ユニットの形態で実現され且つ独立した製品として販売又は使用される時に、１つのコンピュータ読み取り可能な記憶媒体に格納されてもよい。このような理解に基づき、本願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０３３２】
以上は、本願実施例の具体的な実施形態だけであるが、本願の保護範囲はこれに制限されず、当業者が本願で開示された技術範囲内で容易に想到し得る変化又は入れ替わりが全て本願の保護範囲以内に含まれるべきである。従って、本願の保護範囲は前記請求項の保護範囲に準拠するべきである。
【図１】
2021509547.tif 000003
【図２】
2021509547.tif 000004
【図３】
2021509547.tif 000005
【図４】
2021509547.tif 000006
【図５】
2021509547.tif 000007
【図６】
2021509547.tif 000008
【図７】
2021509547.tif 000009
【図８】
2021509547.tif 000010
【図９】
2021509547.tif 000011
【図１０】
2021509547.tif 000012
【図１１】
2021509547.tif 000013
【図１２】
2021509547.tif 000014
【図１３】
2021509547.tif 000015
【図１４】
2021509547.tif 000016
【図１５】
2021509547.tif 000017
【図１６】
2021509547.tif 000018
【図１７】
2021509547.tif 000019
【図１８】
2021509547.tif 000020
【図１９】
2021509547.tif 000021
【図２０】
2021509547.tif 000022
【図２１】
2021509547.tif 000023
【図２２】
2021509547.tif 000024
【図２３】
2021509547.tif 000025
【図２４】
2021509547.tif 000026
【図２５】
2021509547.tif 000027
【図２６】
2021509547.tif 000028
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
ハンドオーバプロセス中にコアネットワークのタイプを決定するための方法であって、
ソースセルからターゲットセルへの端末装置のハンドオーバのプロセス中に、前記端末装置が、前記ターゲットセルに対する好ましいコアネットワークのタイプ情報をソースアクセスネットワーク装置に送信することであって、前記好ましいコアネットワークのタイプ情報が前記ターゲットセルのコアネットワークのタイプを決定するための参照情報であることを含む、前記ハンドオーバプロセス中にコアネットワークのタイプを決定するための方法。
【請求項２】
前記端末装置が前記ターゲットセルに対する好ましいコアネットワークのタイプ情報をソースアクセスネットワーク装置に送信することは、
前記端末装置が測定レポートを前記ソースアクセスネットワーク装置に送信することであって、前記測定レポートに前記好ましいコアネットワークのタイプ情報が搬送されることを含むことを特徴とする
請求項１に記載の方法。
【請求項３】
前記好ましいコアネットワークのタイプ情報は、進化したパケットコア（ＥＰＣ）、又は５Ｇコアネットワーク、又は５ＧコアネットワークとＥＰＣであることを特徴とする
請求項１又は２に記載の方法。
【請求項４】
ハンドオーバプロセス中にコアネットワークのタイプを決定するための方法であって、
ソースセルからターゲットセルへの端末装置のハンドオーバのプロセス中に、ソースアクセスネットワーク装置が前記端末装置により送信された、前記ターゲットセルに対する好ましいコアネットワークのタイプ情報を受信することであって、前記好ましいコアネットワークのタイプ情報が前記ターゲットセルのコアネットワークのタイプを決定するための参照情報であることと、
前記ソースアクセスネットワーク装置が前記好ましいコアネットワークのタイプ情報をターゲットアクセスネットワーク装置に送信することとを含む、前記ハンドオーバプロセス中にコアネットワークのタイプを決定するための方法。
【請求項５】
前記ソースアクセスネットワーク装置が前記端末装置により送信された、前記ターゲットセルに対する好ましいコアネットワークのタイプ情報を受信することは、
前記ソースアクセスネットワーク装置が前記端末装置により送信された測定レポートを受信することであって、前記測定レポートに前記好ましいコアネットワークのタイプ情報が搬送されることを含むことを特徴とする
請求項４に記載の方法。
【請求項６】
ハンドオーバプロセス中にコアネットワークのタイプを決定するための方法であって、
ソースセルからターゲットセルへの端末装置のハンドオーバのプロセス中に、アクセスネットワーク装置がリクエストメッセージをコアネットワーク装置に送信することであって、前記リクエストメッセージが前記ターゲットセルのコアネットワークのタイプをリクエストし、前記ソースセルから前記ターゲットセルへの前記端末装置のハンドオーバのプロセス中に、前記コアネットワーク装置が変更しないことと、
前記アクセスネットワーク装置が前記コアネットワーク装置により前記リクエストメッセージに対してフィードバックされた前記ターゲットセルのコアネットワークのタイプを受信することとを含む、前記ハンドオーバプロセス中にコアネットワークのタイプを決定するための方法。
【請求項７】
前記方法は、
前記アクセスネットワーク装置が前記ターゲットセルのコアネットワークのタイプに従ってセルハンドオーバを実行することとをさらに含むことを特徴とする
請求項６に記載の方法。
【請求項８】
前記ターゲットセルのコアネットワークのタイプ情報は、進化したパケットコア（ＥＰＣ）、又は５Ｇコアネットワーク、又は５ＧコアネットワークとＥＰＣであることを特徴とする
請求項６又は７に記載の方法。
【請求項９】
端末装置であって、
ソースセルからターゲットセルへのハンドオーバのプロセス中に、前記ターゲットセルに対する好ましいコアネットワークのタイプ情報をソースアクセスネットワーク装置に送信するように構成される送信ユニットであって、前記好ましいコアネットワークのタイプ情報が前記ターゲットセルのコアネットワークのタイプを決定するための参照情報である、前記端末装置。
【請求項１０】
前記送信ユニットは、さらに、測定レポートを前記ソースアクセスネットワーク装置に送信するように構成され、前記測定レポートに前記好ましいコアネットワークのタイプ情報が搬送されることを特徴とする
請求項９に記載の端末装置。
【請求項１１】
前記好ましいコアネットワークのタイプ情報は、進化したパケットコア（ＥＰＣ）、又は５Ｇコアネットワーク、又は５ＧコアネットワークとＥＰＣであることを特徴とする
請求項９又は１０に記載の端末装置。
【請求項１２】
アクセスネットワーク装置であって、
ソースセルからターゲットセルへの端末装置のハンドオーバのプロセス中に、前記端末装置により送信された、前記ターゲットセルに対する好ましいコアネットワークのタイプ情報を受信するように構成される受信ユニットであって、前記好ましいコアネットワークのタイプ情報が前記ターゲットセルのコアネットワークのタイプを決定するための参照情報である受信ユニットと、
前記好ましいコアネットワークのタイプ情報をターゲットアクセスネットワーク装置に送信するように構成される送信ユニットとを備える、前記アクセスネットワーク装置。
【請求項１３】
前記受信ユニットは、さらに前記端末装置により送信された測定レポートを受信するように構成され、前記測定レポートに前記好ましいコアネットワークのタイプ情報が搬送されることを特徴とする
請求項１２に記載のアクセスネットワーク装置。
【請求項１４】
アクセスネットワーク装置であって、
ソースセルからターゲットセルへの端末装置のハンドオーバのプロセス中に、リクエストメッセージをコアネットワーク装置に送信するように構成される送信ユニットであって、前記リクエストメッセージが前記ターゲットセルのコアネットワークのタイプをリクエストし、前記ソースセルから前記ターゲットセルへの前記端末装置のハンドオーバのプロセス中に、前記コアネットワーク装置が変更しない送信ユニットと、
前記コアネットワーク装置により前記リクエストメッセージに対してフィードバックされた前記ターゲットセルのコアネットワークのタイプを受信するように構成される受信ユニットとを備える、前記アクセスネットワーク装置。
【請求項１５】
前記アクセスネットワーク装置はさらに、
前記ターゲットセルのコアネットワークのタイプに従ってセルハンドオーバを実行するように構成される処理ユニットを備えることを特徴とする
請求項１４に記載のアクセスネットワーク装置。
【請求項１６】
前記ターゲットセルのコアネットワークのタイプ情報は、進化したパケットコア（ＥＰＣ）、又は５Ｇコアネットワーク、又は５ＧコアネットワークとＥＰＣであることを特徴とする
請求項１４又は１５に記載のアクセスネットワーク装置。
【国際調査報告】
2021509547.tif 000029
2021509547.tif 000030
2021509547.tif 000031
2021509547.tif 000032
2021509547.tif 000033